(57)【要約】【課題】画像の形成位置を適切に調整する。【解決手段】自身の幅方向の中央を表す中央画像を含む調整画像を対象画像とし、生成部に外形画像を幅方向に更に第一距離だけずらして調整画像に重畳させて印刷画像を生成させた後、印刷部に印刷処理を実行させる試験処理を行い、用紙の一側端に存在する余白領域の幅方向の長さと第一距離との差分及び用紙に形成された中央画像が表す調整画像の幅方向の中央と用紙の幅方向の中央との離間距離が０となるように、相対位置を調整する。【選択図】図９
2019126981.tif 000002
【特許請求の範囲】
【請求項１】
搬送された用紙に画像を形成する印字部と、
前記用紙の搬送方向における前記印字部よりも上流側で前記用紙の外形を表す外形画像を撮像する撮像部と、
前記搬送方向に直交する幅方向における前記印字部に対する前記撮像部の相対位置を予め記憶する記憶部と、
前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、
前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、
を備えた画像形成装置における画像の形成位置の調整方法であって、
自身の前記幅方向の中央を表す中央画像を含む所定の調整画像を前記対象画像とし、
前記生成部に、前記外形画像を前記幅方向に更に所定の第一距離だけずらして前記調整画像に重畳させて前記印刷画像を生成させた後、前記印刷部に前記印刷処理を実行させる試験処理を行い、前記用紙の前記一側端に存在する余白領域の前記幅方向の長さと前記第一距離との差分及び前記用紙に形成された前記中央画像が表す前記調整画像の前記幅方向の中央と前記用紙の前記幅方向の中央との離間距離が０となるように、前記相対位置を調整する調整方法。
【請求項２】
前記調整画像は、自身の前記一側端から前記幅方向に前記第一距離だけ離間した位置を表すオフセット画像を更に含む
請求項１に記載の調整方法。
【請求項３】
搬送された用紙に画像を形成する印字部と、
前記用紙の搬送方向における前記印字部よりも上流側で前記用紙の外形を表す外形画像を撮像する撮像部と、
前記搬送方向に直交する幅方向における前記印字部に対する前記撮像部の相対位置を予め記憶する記憶部と、
前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、
前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、
を備えた画像形成装置における画像の形成位置の調整方法であって、
自身の前記幅方向の中央を表す中央画像を含む所定の調整画像を前記対象画像とし、
前記生成部に、前記印刷画像を生成させ、当該印刷画像の両側端から前記幅方向に第二距離だけ離間した位置までの領域を余白領域に変更させた後、前記印刷部に前記印刷処理を実行させる試験処理を行い、前記用紙の両側端に存在する余白領域の前記幅方向の長さと前記第二距離との差分及び前記用紙に形成された前記中央画像が表す前記調整画像の前記幅方向の中央と前記用紙の前記幅方向の中央との離間距離が０になるように、前記相対位置を調整する調整方法。
【請求項４】
前記調整画像は、自身の両側端から前記幅方向に前記第二距離だけ離間した位置を表すオフセット画像を更に含む
請求項３に記載の調整方法。
【請求項５】
搬送された用紙に画像を形成する印字部と、
前記用紙の搬送方向における前記印字部よりも上流側で前記用紙の外形を表す外形画像を撮像する撮像部と、
前記搬送方向に直交する幅方向における前記印字部に対する前記撮像部の相対位置を予め記憶する記憶部と、
前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、
前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、
を備えた画像形成装置における画像の形成位置の調整方法であって、
前記画像形成装置は、前記搬送方向における前記印字部と前記撮像部との間の所定位置に前記用紙の先端が到達したことを検出する検出部を更に備え、
前記記憶部は、更に、前記検出部から前記印字部まで前記用紙を搬送するのに要する搬送時間を予め記憶し、
前記生成部は、前記検出部が前記用紙の先端の到達を検出した時点から前記搬送時間が経過した印刷時点になると、前記幅方向に延びる所定ラインずつ前記対象画像に前記外形画像を重畳して、前記所定ライン分の前記印刷画像を順次生成し、
前記印刷部は、前記生成部による前記印刷画像の生成が開始されると前記印刷処理を開始し、当該印刷処理において、前記生成部によって生成された前記所定ライン分の前記印刷画像を前記印字部に順次前記用紙に形成させ、
前記用紙が所定の第一時間で搬送される第三距離だけ、自身の先端から前記搬送方向の反対方向に離間した位置を表す先端画像を含む所定の調整画像を前記対象画像とし、
前記生成部に、前記印刷時点から前記第一時間が経過するまでの間、前記外形画像を前記調整画像に重畳させずに、前記調整画像における前記所定ライン分の領域を余白領域に変換した画像を、前記所定ライン分の前記印刷画像として順次生成させ、
前記印刷処理の終了後、前記用紙の先端に存在する余白領域の前記搬送方向の長さと前記第三距離との差分が０になるように、前記搬送時間を調整する調整方法。
【発明の詳細な説明】
【技術分野】
【０００１】
本発明は、画像形成装置における画像の形成位置の調整方法に関する。
【背景技術】
【０００２】
インクジェットプリンターやレーザープリンター等の画像形成装置において、現像器や転写器等の印字装置による画像の形成位置は、一般的に印字装置の配置位置に基づき定められ、当該定められた位置から変更されない。一方、印字装置への用紙の搬送位置は、用紙の搬送路の設計公差や組立公差、用紙のサイズや給紙装置への用紙の設置状態等によって予め定められた搬送位置から異なることがある。また、用紙の搬送に用いるモーター、ローラー及びギアの噛み合わせ等が原因で生じる搬送ノイズによって、用紙を一枚搬送する度に用紙の搬送位置が異なることもある。このように、印字装置による画像の形成位置が変更されなくても、印字装置への用紙の搬送位置にずれが生じることで、用紙の適切な位置に画像が形成されない虞がある。
【０００３】
この問題を解消するため、従来から、例えば特許文献１に記載のように、用紙の搬送方向における印字装置よりも上流側に画像センサーを配置することが知られている。そして、インクヘッドの配置位置に基づき定められた画像形成位置の中央及び前記画像センサーで検出した用紙の両側端の位置に基づいて用紙の搬送位置のずれを算出し、当該算出したずれに応じて画像の形成位置を移動させることが知られている。
【０００４】
また、従来から、上記画像センサーを用いて印字装置へ搬送される用紙の外形を検出することが知られている。そして、特許文献２等に記載のマスク処理技術を用い、当該検出した用紙の外形に含まれない領域をマスクした画像を用紙に形成することで、インクやトナー等の現像剤を用紙以外の領域に付着させないようにすることが知られている。
【先行技術文献】
【特許文献】
【０００５】
【特許文献１】特開２００５−１３８４８９号公報
【特許文献２】特開２００４−３０３１５６号公報
【発明の概要】
【発明が解決しようとする課題】
【０００６】
しかし、上記画像センサー及び印字装置の配置位置が、設計公差や組立公差等によって予め定められた配置位置とは異なる場合がある。この場合、上記特許文献１の技術では、インクヘッドの配置位置に基づき定められた画像形成位置の中央及び画像センサーによって検出される用紙の両側端の位置が正確でないため、用紙の搬送位置のずれが適切に算出されず、用紙の適切な位置に画像が形成されない虞がある。また、上述のマスク処理技術を用いる従来技術においても、画像センサーが検出する用紙の外形の位置が正確でないため、不適切な領域がマスクされた画像が用紙に形成される虞がある。
【０００７】
本発明は、上記事情に鑑みてなされた発明であり、画像の形成位置を適切に調整する方法を提供することを目的とする。
【課題を解決するための手段】
【０００８】
本発明による調整方法は、搬送された用紙に画像を形成する印字部と、前記用紙の搬送方向における前記印字部よりも上流側で前記用紙の外形を表す外形画像を撮像する撮像部と、前記搬送方向に直交する幅方向における前記印字部に対する前記撮像部の相対位置を予め記憶する記憶部と、前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、を備えた画像形成装置における画像の形成位置の調整方法であって、自身の前記幅方向の中央を表す中央画像を含む所定の調整画像を前記対象画像とし、前記生成部に、前記外形画像を前記幅方向に更に所定の第一距離だけずらして前記調整画像に重畳させて前記印刷画像を生成させた後、前記印刷部に前記印刷処理を実行させる試験処理を行い、前記用紙の前記一側端に存在する余白領域の前記幅方向の長さと前記第一距離との差分及び前記用紙に形成された前記中央画像が表す前記調整画像の前記幅方向の中央と前記用紙の前記幅方向の中央との離間距離が０となるように、前記相対位置を調整する。
【０００９】
本構成によれば、試験処理が行われることによって、記憶部に予め記憶されている印字部に対する撮影部の相対位置に基づき、調整画像の一側端と用紙の外形を表す外形画像の一側端とを一致させ、更に外形画像を幅方向に第一距離だけずらして調整画像に外形画像を重畳した場合に、調整画像における外形画像で覆われない領域が余白領域に変更された印刷画像が生成される。そして、印刷処理によって、前記相対位置に基づき、当該印刷画像の幅方向の中央と用紙の幅方向の中央とが一致するようにして当該印刷画像が用紙に形成される。このようにして、試験処理が行われた結果、用紙の一側端に存在する余白領域の幅方向の長さと第一距離との差分及び用紙に形成された中央画像が表す調整画像の幅方向の中央と用紙の幅方向の中央との離間距離が０となるように、前記相対位置が調整される。
【００１０】
印字部及び撮像部が予め定められた配置位置に存在し、記憶部に記憶されている相対位置が正しい場合、生成部及び印刷部によって画像を用紙の適切な位置に形成できるとする。この場合、試験処理が行われると、調整画像の一側端から幅方向に第一距離だけ離間した位置までの領域が余白領域に変更された印刷画像が生成され、印刷処理が行われる。これにより、用紙の一側端には幅方向の長さが第一距離の余白領域が存在し、用紙の幅方向の中央には中央画像が形成される。その結果、前記差分及び前記離間距離は０となる。このように、画像を用紙の適切な位置に形成できる場合、前記差分及び前記離間距離は０となり、前記相対位置を調整することを回避できる。
【００１１】
一方、撮像部が予め定められた配置位置とは異なる位置に存在し、記憶部に記憶されている相対位置が誤っているとする。この場合、試験処理が行われると、誤った相対位置に基づき調整画像に外形画像が重畳され、調整画像の一側端から幅方向に第一距離とは異なる距離だけ離間した位置までの領域が余白領域に変更された印刷画像が形成され、印刷処理が行われる。その結果、用紙の一側端には幅方向の長さが第一距離とは異なる余白領域が存在するようになり、前記差分が０ではなくなる。また、印字部が予め定められた配置位置とは異なる位置に存在し、前記相対位置が誤っている場合に試験処理が行われるとする。この場合、当該試験処理における印刷処理において、誤った相対位置に基づき印刷画像の幅方向の中央と用紙の幅方向の中央とが一致するようにして印刷画像が用紙に形成され、前記離間距離が０ではなくなる。
【００１２】
本構成によれば、これらの場合、印字部及び撮像部が予め定められた配置位置に存在するときと同様、前記差分及び前記離間距離が０となるように前記相対位置を調整する。これにより、印字部及び撮像部が予め定められた配置位置に存在するときと同様、画像を用紙の適切な位置に形成できるようになる。
【００１３】
また、上記構成において、前記調整画像は、自身の前記一側端から前記幅方向に前記第一距離だけ離間した位置を表すオフセット画像を更に含むことが好ましい。
【００１４】
本構成によれば、試験処理を行った後、用紙の前記一側端に存在する余白領域と用紙に形成されたオフセット画像とを対比することができる。このため、当該余白領域の幅方向の長さが第一距離であるか否かを容易に判断することができる。
【００１５】
また、本発明による調整方法は、搬送された用紙に画像を形成する印字部と、前記用紙の搬送方向における前記印字部よりも上流側で前記用紙の外形を表す外形画像を撮像する撮像部と、前記搬送方向に直交する幅方向における前記印字部に対する前記撮像部の相対位置を予め記憶する記憶部と、前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、を備えた画像形成装置における画像の形成位置の調整方法であって、自身の前記幅方向の中央を表す中央画像を含む所定の調整画像を前記対象画像とし、前記生成部に、前記印刷画像を生成させ、当該印刷画像の両側端から前記幅方向に第二距離だけ離間した位置までの領域を余白領域に変更させた後、前記印刷部に前記印刷処理を実行させる試験処理を行い、前記用紙の両側端に存在する余白領域の前記幅方向の長さと前記第二距離との差分及び前記用紙に形成された前記中央画像が表す前記調整画像の前記幅方向の中央と前記用紙の前記幅方向の中央との離間距離が０になるように、前記相対位置を調整する。
【００１６】
本構成によれば、試験処理が行われることによって、記憶部に予め記憶されている印字部に対する撮影部の相対位置に基づき、調整画像の一側端と用紙の外形を表す外形画像の一側端とを一致させて調整画像に外形画像を重畳した場合に、調整画像における外形画像で覆われない領域が余白領域に変更された印刷画像が生成される。更に、当該印刷画像における両側端から幅方向に第二距離だけ離間した位置までの領域が余白領域に変更される。そして、印刷処理によって、前記相対位置に基づき、当該印刷画像の幅方向の中央と用紙の幅方向の中央とが一致するようにして当該印刷画像が用紙に形成される。このようにして、試験処理が行われた結果、用紙の両側端に存在する余白領域の幅方向の長さと第二距離との差分及び用紙に形成された中央画像が表す調整画像の幅方向の中央と用紙の幅方向の中央との離間距離が０となるように、前記相対位置が調整される。
【００１７】
印字部及び撮像部が予め定められた配置位置に存在し、記憶部に記憶されている相対位置が正しい場合、生成部及び印刷部によって画像を用紙の適切な位置に形成できるとする。この場合、試験処理が行われると、調整画像の両側端から幅方向に第二距離だけ離間した位置までの領域が余白領域に変更された印刷画像が生成され、印刷処理が行われる。これにより、用紙の両側端には幅方向の長さが第二距離の余白領域が存在し、用紙の幅方向の中央には中央画像が形成される。その結果、前記差分及び前記離間距離は０となる。このように、画像を用紙の適切な位置に形成できる場合、前記差分及び前記離間距離は０となり、前記相対位置を調整することを回避できる。
【００１８】
一方、撮像部が予め定められた配置位置とは異なる位置に存在し、記憶部に記憶されている相対位置が誤っているとする。この場合、試験処理が行われると、誤った相対位置に基づき調整画像に外形画像が重畳され、調整画像の両側端から幅方向に第二距離とは異なる距離だけ離間した位置までの領域が余白領域に変更された印刷画像が形成され、印刷処理が行われる。その結果、用紙の両側端には幅方向の長さが第二距離とは異なる余白領域が存在するようになり、前記差分が０ではなくなる。また、印字部が予め定められた配置位置とは異なる位置に存在し、前記相対位置が誤っている場合に試験処理が行われるとする。この場合、当該試験処理における印刷処理において、誤った相対位置に基づき印刷画像の幅方向の中央と用紙の幅方向の中央とが一致するようにして用紙に印刷画像が形成され、前記離間距離が０ではなくなる。
【００１９】
本構成によれば、これらの場合、印字部及び撮像部が予め定められた配置位置に存在するときと同様、前記差分及び前記離間距離が０となるように前記相対位置を調整する。これにより、印字部及び撮像部が予め定められた配置位置に存在するときと同様、画像を用紙の適切な位置に形成できるようになる。
【００２０】
また、上記構成において、前記調整画像は、自身の両側端から前記幅方向に前記第二距離だけ離間した位置を表すオフセット画像を更に含むことが好ましい。
【００２１】
本構成によれば、試験処理を行った後、用紙の両側端に存在する余白領域と用紙に形成されたオフセット画像とを対比することができ。このため、当該余白領域の幅方向の長さが第二距離であるか否かを容易に判断することができる。
【００２２】
また、本発明による調整方法は、搬送された用紙に画像を形成する印字部と、前記用紙の搬送方向における前記印字部よりも上流側で前記用紙の外形を表す外形画像を撮像する撮像部と、前記搬送方向に直交する幅方向における前記印字部に対する前記撮像部の相対位置を予め記憶する記憶部と、前記相対位置に基づき、前記用紙に形成する対象画像の一側端と前記撮像部が撮像した前記外形画像の一側端とが一致するように前記対象画像に前記外形画像を重畳し、前記対象画像における前記外形画像で覆われない領域を余白領域に変更した印刷画像を生成する生成部と、前記相対位置に基づき、前記印刷画像における前記幅方向の中央と前記用紙における前記幅方向の中央とが一致するように、前記印字部によって前記印刷画像を前記用紙に形成させる印刷処理を実行する印刷部と、を備えた画像形成装置における画像の形成位置の調整方法であって、前記画像形成装置は、前記搬送方向における前記印字部と前記撮像部との間の所定位置に前記用紙の先端が到達したことを検出する検出部を更に備え、前記記憶部は、更に、前記検出部から前記印字部まで前記用紙を搬送するのに要する搬送時間を予め記憶し、前記生成部は、前記検出部が前記用紙の先端の到達を検出した時点から前記搬送時間が経過した印刷時点になると、前記幅方向に延びる所定ラインずつ前記対象画像に前記外形画像を重畳して、前記所定ライン分の前記印刷画像を順次生成し、前記印刷部は、前記生成部による前記印刷画像の生成が開始されると前記印刷処理を開始し、当該印刷処理において、前記生成部によって生成された前記所定ライン分の前記印刷画像を前記印字部に順次前記用紙に形成させ、前記用紙が所定の第一時間で搬送される第三距離だけ、自身の先端から前記搬送方向の反対方向に離間した位置を表す先端画像を含む所定の調整画像を前記対象画像とし、前記生成部に、前記印刷時点から前記第一時間が経過するまでの間、前記外形画像を前記調整画像に重畳させずに、前記調整画像における前記所定ライン分の領域を余白領域に変換した画像を、前記所定ライン分の前記印刷画像として順次生成させ、前記印刷処理の終了後、前記用紙の先端に存在する余白領域の前記搬送方向の長さと前記第三距離との差分が０になるように、前記搬送時間を調整する。
【００２３】
本構成によれば、用紙が第一時間で搬送される第三距離だけ、自身の先端から搬送方向の反対方向に離間した位置を表す先端画像を含む所定の調整画像が対象画像とされ、検出部が用紙の先端の到達を検出した時点から、記憶部に予め記憶されている搬送時間が経過した印刷時点から第一時間が経過するまでの間、所定ライン分の余白領域を表す印刷画像が順次用紙に形成される。その後、印刷時点から第一時間が経過した後、調整画像における外形画像で覆われない領域を余白領域に変更した印刷画像が所定ライン分ずつ用紙に形成される。その結果、用紙の先端に存在する余白領域の搬送方向の長さと第三距離との差分（以降、先端差分）が０となるように、前記搬送時間が調整される。
【００２４】
検出部及び印字部が用紙の搬送方向において予め定められた配置位置に存在し、記憶部に記憶されている搬送時間が正しい場合、生成部及び印刷部によって用紙の搬送方向における適切な位置に画像を形成できるとする。この場合、印刷時点において用紙の先端が印字部に到達し、印刷時点から第一時間が経過するまでの間に用紙が第三距離搬送される。このため、調整画像の先端から前記反対方向に第三距離離間した位置までの領域が、所定ライン分ずつ余白領域に変換され、用紙の先端に搬送方向の長さが第三距離である余白領域が存在するようになる。その結果、前記先端差分は０となる。このように、用紙の搬送方向における適切な位置に画像を形成できる場合、前記先端差分は０となり、前記搬送時間を調整することを回避できる。
【００２５】
一方、検出部又は印字部が用紙の搬送方向において予め定められた配置位置とは異なる位置に存在し、記憶部に記憶されている搬送時間が誤っているとする。この場合、印刷時点において用紙の先端の位置は印字部とは異なる位置に存在する。したがって、印刷時点から第一時間が経過するまでの間に用紙が第三距離搬送されると、用紙の先端から前記反対方向に第三距離離間した位置は、印字部とは異なる位置に存在することになる。このため、調整画像の先端から前記反対方向に第三距離とは異なる距離離間した位置までの領域が所定ライン分ずつ余白領域に変換され、用紙の先端に搬送方向の長さが第三距離とは異なる余白領域が存在するようになる。その結果、前記先端差分は０ではなくなる。
【００２６】
本構成によれば、この場合、検出部及び印字部が用紙の搬送方向において予め定められた配置位置に存在するときと同様、前記先端差分が０となるように前記搬送時間を調整する。これにより、検出部及び印字部が予め定められた配置位置に存在するときと同様、用紙の搬送方向における適切な位置に画像を形成することができるようになる。
【発明の効果】
【００２７】
本発明によれば、画像の形成位置を適切に調整する方法を提供することができる。
【図面の簡単な説明】
【００２８】
【図１】インクジェットプリンターの側面断面図である。
【図２】インクジェットプリンターの電気的な構成を示すブロック図である。
【図３】用紙、撮像部及び印字部の位置関係を示す図である。
【図４】生成部による印刷画像の生成処理の説明図である。
【図５】印刷部による印刷画像における幅方向の中央と用紙における幅方向の中央とを一致させて印刷画像を用紙に形成する処理の説明図である。
【図６】印刷画像の先端と用紙の先端とを一致させて印刷画像を用紙に形成する処理の説明図である。
【図７】調整処理の流れを示すフローチャートである。
【図８】第一調整画像の一例を示す図である。
【図９】第一調整画像を用いて行う試験処理の説明図である。
【図１０】試験処理後の用紙の左側端に存在する余白領域の幅方向の長さに基づく調整方法の説明図である。
【図１１】試験処理後の用紙に形成された中央画像が表す第一調整画像の幅方向の中央と用紙の幅方向の中央との離間距離に基づく調整方法の説明図である。
【図１２】試験処理後の用紙の先端に存在する余白領域の搬送方向の長さに基づく調整方法の説明図である。
【図１３】第二調整画像の一例を示す図である。
【図１４】第二調整画像を用いて行う試験処理の説明図である。
【図１５】試験処理後の用紙の両側端に存在する余白領域の幅方向の長さと第二距離との差分に基づく調整方法の説明図である。
【発明を実施するための形態】
【００２９】
以下、本発明における調整方法の一実施形態について図面を参照して説明する。本発明における調整方法が適用される画像形成装置は、インクジェットプリンター、レーザープリンター、複写機、ファクシミリ又はこれら機能を兼ね備えた複合機等の用紙に画像を形成する電子機器に適用可能である。尚、前記用紙は、一般的な印刷用紙に限らず、透明フィルム等の印刷可能な記録媒体であってもよい。以下の実施形態では、本発明の調整方法が適用される画像形成装置の一例として、モノクロ印刷を行うインクジェットプリンターを用いて説明する。しかし、当該画像形成装置は、カラー印刷を行うインクジェットプリンターであってもよい。
【００３０】
＜第一実施形態＞
図１は、インクジェットプリンター１の側面断面図である。図１に示すように、インクジェットプリンター１は、用紙カセット１１、ピックアップローラー１２、レジストローラー対１３、投光部１５、撮像部１４、検出部１６、吸着ローラー１７、搬送ベルト２３、印字部２１、排出ローラー対２４及び排出トレイ２６を備えている。
【００３１】
用紙カセット１１には印刷前の用紙Ｐが積載して収納される。用紙Ｐはここからピックアップローラー１２の駆動により１枚ずつ取り出されて第一搬送路３１へ送り出される。レジストローラー対１３は、第一搬送路３１を通過した用紙Ｐを第二搬送路３２へ搬送する。
【００３２】
投光部１５は、第二搬送路３２を介して撮像部１４に対向する位置に配置され、撮像部１４に向けて光を照射する。投光部１５は、例えばＬＥＤ（Ｌｉｇｈｔ  Ｅｍｉｔｔｉｎｇ  Ｄｉｏｄｅ）等によって構成される。
【００３３】
撮像部１４は、用紙Ｐの搬送方向Ｙにおける印字部２１よりも上流側に配置され、第二搬送路３２を搬送される用紙Ｐの外形を表す外形画像を撮像する。用紙Ｐの外形には、用紙Ｐの搬送方向Ｙの先端及び後端と、用紙Ｐの搬送方向Ｙに直交する方向（以降、幅方向Ｘ）の両側端と、が含まれる。また、用紙Ｐにパンチ穴が設けられている場合、当該パンチ穴の外縁も用紙Ｐの外形に含まれる。撮像部１４は、例えば、ＣＩＳ（Ｃｏｎｔａｃｔ  Ｉｍａｇｅ  Ｓｅｎｓｏｒ）等の画像センサーによって構成される。撮像部１４は、投光部１５が照射した光が第二搬送路３２を搬送された用紙Ｐに照射された場合に輝度差が大きく生じた箇所を用紙Ｐの外形として撮像する。
【００３４】
検出部１６は、用紙Ｐの搬送方向Ｙにおける印字部２１と撮像部１４との間に配置され、当該配置された位置（所定位置）に第二搬送路３２を搬送される用紙Ｐの先端が到達したことを検出する。検出部１６は、例えば、反射型の光センサーによって構成され、第二搬送路３２に向けて光を照射し、第二搬送路３２を搬送された用紙Ｐによって反射された光を受光したときに、用紙Ｐの先端が到達したことを検出する。
【００３５】
第二搬送路３２を通過した用紙Ｐは、吸着ローラー１７と搬送ベルト２３のニップ部を介して印字部２１に対向する位置へ搬送される。吸着ローラー１７は、搬送ベルト２３に当接するように配置され、用紙Ｐを搬送ベルト２３へ圧接して吸着させる。搬送ベルト２３は、例えば静電吸着によって用紙Ｐを吸着して固定し、用紙Ｐを印字部２１に対向する位置へ搬送する。搬送ベルト２３には、例えば誘電体樹脂製のシートが用いられ、当該シートの両端部を互いに重ねて接合した無端形状のベルトや、継ぎ目を有しないベルトが用いられる。搬送ベルト２３は、搬送方向Ｙにおける上流側の従動ローラー１８と、下流側の駆動ローラー２０と、テンションローラー１９、２２と、に掛け渡されている。駆動ローラー２０が、図１の紙面上で時計回りに回転すると、従動ローラー１８が連動して回り、搬送ベルト２３が時計回りに回転する。これにより、吸着ローラー１７と搬送ベルト２３のニップ部を通過した用紙Ｐが搬送方向Ｙに搬送され、印字部２１に対向する位置へ搬送される。テンションローラー１９、２２は、駆動ローラー２０と従動ローラー１８の間で搬送ベルト２３がたるまないように力を与えるローラーである。
【００３６】
印字部２１は、インクジェットプリンター１の筐体に配置され、搬送ベルト２３によって搬送された用紙Ｐに向かって黒色のインク滴を吐出することによって、用紙Ｐに画像を形成する。印字部２１によるインクの吐出方法としては、例えばピエゾ素子を用いてインク滴を押し出すピエゾ方式や、発熱体によって気泡を発生させ、その圧力でインク滴を吐出するサーマルインクジェット方式等が挙げられる。
【００３７】
印字部２１によって画像が形成された用紙Ｐは、排出搬送路３３を通り、排出ローラー対２４によって排出トレイ２６に排出される。尚、インクジェットプリンター１は、更に、搬送ベルト２３の表面に付着したインクを除去するためのクリーニング装置等を備えていてもよい。
【００３８】
図２は、インクジェットプリンター１の電気的な構成を示すブロック図である。図２に示すように、インクジェットプリンター１は、上記のピックアップローラー１２、撮像部１４、投光部１５、検出部１６、駆動ローラー２０及び印字部２１と制御部４０と操作部５０と通信部６０と記憶部７０とを備えている。
【００３９】
制御部４０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等を備えたマイクロコンピュータによって構成されている。制御部４０は、入力された指示信号等に応じて所定の制御プログラムに基づいた処理を実行し、各部への指示信号の出力、データ転送等を行ってインクジェットプリンター１を統括的に制御する。
【００４０】
制御部４０は、不揮発性メモリー等に記憶された制御プログラムを実行することによって、生成部４１、印刷部４２及び調整部４３として動作する。生成部４１、印刷部４２及び調整部４３の詳細については、後述する。
【００４１】
操作部５０は、ユーザーが操作画面やエラーメッセージ等を視認することができる表示パネルや、種々の操作命令を入力するための操作ボタン等を備える。操作部５０は、図１において図示していないが、インクジェットプリンター１の本体上面等に配設される。
【００４２】
通信部６０は、外部装置とのデータ送受信を行うための各種通信インターフェース回路を備える。例えば、通信部６０は、外部のコンピュータから印刷指示信号と共に画像データを受信すると、当該受信した印刷指示信号及び画像データを制御部４０に出力する。これに応じて、制御部４０は、各部に制御信号を出力し、画像データが表す画像を用紙Ｐに形成する処理を行う。
【００４３】
記憶部７０は、例えば、ＨＤＤ（Ｈａｒｄ  Ｄｉｓｋ  Ｄｒｉｖｅ）等の記憶装置によって構成され、制御部４０による制御の下、各種データを記憶する。例えば、記憶部７０には、通信部６０から制御部４０に入力された画像データ等が記憶される。
【００４４】
また、記憶部７０には、画像の形成に関わる設定値が予め記憶されている。図３は、用紙Ｐ、撮像部１４及び印字部２１の位置関係を示す図である。図３では、紙面の下から上へ向かう方向を搬送方向Ｙとしている。また、搬送方向Ｙに直交する幅方向Ｘにおいて、紙面の左へ向かう方向を左方向又は−Ｘ方向とし、紙面の右へ向かう方向を右方向又は＋Ｘ方向としている。
【００４５】
記憶部７０には、図３に示すように、幅方向Ｘにおける印字部２１の左方向の側端（一側端）から中央までの離間距離であるセンター距離ＣＨの設定値が予め記憶されている。記憶部７０には、幅方向Ｘにおける印字部２１に対する撮像部１４の相対位置を表す設定値として、印字部２１の左方向の側端（以降、左側端）と撮像部１４の左側端との離間距離である相対距離ＭＧの設定値が予め記憶されている。その他、記憶部７０には、搬送方向Ｙにおける検出部１６と印字部２１との離間距離ＬＨ（図１）の設定値や、検出部１６から印字部２１まで用紙Ｐを離間距離ＬＨだけ搬送するのに要する搬送時間ＴＴ（不図示）の設定値等が予め記憶されている。
【００４６】
＜制御部４０の詳細＞
次に、生成部４１、印刷部４２及び調整部４３の詳細について説明する。以降、左方向及び右方向とは、図３における左方向及び右方向を示すものとする。図４は、生成部４１による印刷画像ＰＤの生成処理の説明図である。
【００４７】
生成部４１は、記憶部７０に予め記憶されている相対距離ＭＧの設定値ＭＧ０（不図示）に基づき、図４のセクション（Ａ）に示すように、用紙Ｐに形成する対象画像ＴＤの左側端と撮像部１４が撮像した外形画像ＲＤの左側端とが一致するように、対象画像ＴＤに外形画像ＲＤを重畳し、対象画像ＴＤにおける外形画像ＲＤで覆われない領域を余白領域に変更した印刷画像ＰＤを生成する。
【００４８】
具体的には、図３に示すように、撮像部１４による幅方向Ｘの撮像範囲は、印字部２１による幅方向Ｘの画像形成範囲よりも相対距離ＭＧだけ右方向にずれている。このため、生成部４１は、撮像部１４から制御部４０に入力された外形画像ＲＤを、記憶部７０に記憶されている設定値ＭＧ０が表す相対距離ＭＧだけ左方向に移動させて、対象画像ＴＤに重畳する。これにより、生成部４１は、図４のセクション（Ａ）に示すように、対象画像ＴＤの左側端と外形画像ＲＤの左側端とが一致するように、対象画像ＴＤに外形画像ＲＤを重畳して、印刷画像ＰＤを生成する。
【００４９】
しかし、撮像部１４が、設計公差や組立公差等によって、予め定められた配置位置から右方向にずれた位置に配置されている場合がある。これにより、印字部２１に対する撮像部１４の相対位置を表す相対距離ＭＧが、記憶部７０に記憶されている設定値ＭＧ０が表す相対距離ＭＧよりも長くなっている場合がある。
【００５０】
この場合、撮像部１４は、撮像部１４が予め定められた配置位置に正しく配置されている場合よりも、左方向の位置に用紙Ｐの外形が存在するものとして、左方向にずれた外形画像ＲＤを出力する。このため、図４のセクション（Ｂ）に示すように、生成部４１は、当該左方向にずれた外形画像ＲＤを、上述のように、記憶部７０に記憶されている設定値ＭＧ０が表す相対距離ＭＧだけ左方向に移動させて対象画像ＴＤに重畳し、印刷画像ＰＤを生成する。その結果、対象画像ＴＤにおける、右方向の側端（以降、右側端）から左方向に所定の長さを有する領域が余白領域に変換された印刷画像ＰＤが生成される。
【００５１】
これとは反対に、撮像部１４が、設計公差や組立公差等によって、予め定められた配置位置から左方向にずれた位置に配置されている場合がある。これにより、印字部２１に対する撮像部１４の相対位置を表す相対距離ＭＧが、記憶部７０に記憶されている設定値ＭＧ０が表す相対距離ＭＧよりも短くなっている場合がある。
【００５２】
この場合、撮像部１４は、撮像部１４が予め定められた配置位置に正しく配置されている場合よりも、右方向の位置に用紙Ｐの外形が存在するものとして、右方向にずれた外形画像ＲＤを出力する。このため、図４のセクション（Ｃ）に示すように、生成部４１は、当該右方向にずれた外形画像ＲＤを、上述のように、記憶部７０に記憶されている設定値ＭＧ０が表す相対距離ＭＧだけ左方向に移動させて対象画像ＴＤに重畳し、印刷画像ＰＤを生成する。その結果、対象画像ＴＤにおける、左側端から右方向に所定の長さを有する領域が余白領域に変換された印刷画像ＰＤが生成される。
【００５３】
図５は、印刷部４２による印刷画像ＰＤにおける幅方向Ｘの中央と用紙Ｐにおける幅方向Ｘの中央とを一致させて印刷画像ＰＤを用紙Ｐに形成する処理の説明図である。印刷部４２は、記憶部７０に予め記憶されている相対距離ＭＧの設定値ＭＧ０に基づき、図５のセクション（Ａ）に示すように、印刷画像ＰＤにおける幅方向Ｘの中央と用紙Ｐにおける幅方向Ｘの中央とが一致するように、印字部２１によって印刷画像ＰＤを用紙Ｐに形成させる印刷処理を実行する。
【００５４】
具体的には、図３に示すように、印刷部４２は、撮像部１４による幅方向Ｘの撮像範囲の左側端と外形画像ＲＤが表す用紙Ｐの外形の左側端との離間距離である左側端距離ＳＴ、当該範囲の左側端と外形画像ＲＤが表す用紙Ｐの外形の右側端との離間距離である右側端距離ＥＤ及び記憶部７０に記憶されている相対距離ＭＧの設定値ＭＧ０を用いた下記式（１）によって、印字部２１による幅方向Ｘの画像形成範囲の左側端から外形画像ＲＤの幅方向Ｘにおける中央までの距離である用紙センター距離ＣＰを算出する。
ＣＰ  ＝  ＳＴ  +  （ＥＤ−ＳＴ）／２  ＋  ＭＧ０  ・・・（１）
【００５５】
印刷部４２は、記憶部７０に予め記憶されているセンター距離ＣＨの設定値から当該算出した用紙センター距離ＣＰを減算した結果が正の値を示す場合、用紙Ｐにおける幅方向Ｘの中央が、印字部２１の幅方向Ｘの中央よりも左方向に存在すると判断する。この場合、印刷部４２は、印刷画像ＰＤに対応するインク滴の吐出位置を当該減算結果に応じた距離だけ左方向にずらして、用紙Ｐに印刷画像ＰＤを形成する。
【００５６】
これとは反対に、印刷部４２は、記憶部７０に予め記憶されているセンター距離ＣＨの設定値から前記算出した用紙センター距離ＣＰを減算した結果が負の値を示す場合、用紙Ｐにおける幅方向Ｘの中央が、印字部２１の幅方向Ｘの中央よりも右方向に存在すると判断する。この場合、印刷部４２は、印刷画像ＰＤに対応するインク滴の吐出位置を当該減算結果の絶対値に応じた距離だけ右方向にずらして、用紙Ｐに印刷画像ＰＤを形成する。
【００５７】
これらにより、印刷部４２は、図５のセクション（Ａ）に示すように、印刷画像ＰＤにおける幅方向Ｘの中央と用紙Ｐにおける幅方向Ｘの中央とが一致するように、印字部２１によって印刷画像ＰＤを用紙Ｐに形成させる印刷処理を実行する。
【００５８】
しかし、印字部２１が、設計公差や組立公差等によって、予め定められた配置位置から左方向にずれた位置に配置されている場合がある。これにより、印字部２１に対する撮像部１４の相対位置を表す相対距離ＭＧが、記憶部７０に記憶されている設定値ＭＧ０が表す相対距離ＭＧよりも長くなっている場合がある。
【００５９】
この場合、印刷部４２は、上述のように、記憶部７０に記憶されている相対距離ＭＧの設定値ＭＧ０及びセンター距離ＣＨの設定値を用いて、用紙Ｐにおける幅方向Ｘの中央が、実際よりも右方向に存在する印字部２１の幅方向Ｘの中央からどれだけずれているかを判断する。このため、印刷部４２は、例えば用紙Ｐにおける幅方向Ｘの中央が実際の印字部２１の幅方向Ｘの中央よりも大きく右方向にずれていたとしても、用紙Ｐにおける幅方向Ｘの中央が少しだけ右方向にずれていると判断する。
【００６０】
この場合、印刷部４２は、印刷画像ＰＤにおける幅方向Ｘの中央と用紙Ｐにおける幅方向Ｘの中央とを一致させるために、印字部２１による画像の形成位置を右方向に大きくずらす必要があるにも関わらず、右方向に少しだけずらすことになる。その結果、図５のセクション（Ｂ）に示すように、印刷画像ＰＤにおける幅方向Ｘの中央が、用紙Ｐにおける幅方向Ｘの中央よりも左方向にずれた位置となるように、印刷画像ＰＤが用紙Ｐに形成される。
【００６１】
これとは反対に、印字部２１が、設計公差や組立公差等によって、予め定められた配置位置から右方向にずれた位置に配置されている場合がある。これにより、印字部２１に対する撮像部１４の相対位置を表す相対距離ＭＧが、記憶部７０に記憶されている設定値ＭＧ０が表す距離よりも短くなっている場合がある。
【００６２】
この場合、印刷部４２は、上述のように、記憶部７０に記憶されている相対距離ＭＧの設定値ＭＧ０とセンター距離ＣＨの設定値とを用いて、用紙Ｐにおける幅方向Ｘの中央が、実際よりも左方向に存在する印字部２１の幅方向Ｘの中央からどれだけずれているかを判断する。このため、印刷部４２は、例えば用紙Ｐにおける幅方向Ｘの中央が実際の印字部２１の幅方向Ｘの中央よりも大きく左方向にずれていたとしても、用紙Ｐにおける幅方向Ｘの中央が少しだけ左方向にずれていると判断する。
【００６３】
この場合、印刷部４２は、印刷画像ＰＤにおける幅方向Ｘの中央と用紙Ｐにおける幅方向Ｘの中央とを一致させるために、印字部２１による画像の形成位置を左方向に大きくずらす必要があるにも関わらず、左方向に少しだけずらすことになる。その結果、図５のセクション（Ｃ）に示すように、印刷画像ＰＤにおける幅方向Ｘの中央が、用紙Ｐにおける幅方向Ｘの中央よりも右方向にずれた位置となるように、印刷画像ＰＤが用紙Ｐに形成される。
【００６４】
尚、生成部４１は、検出部１６が用紙Ｐの先端の到達を検出した時点から、記憶部７０に予め記憶されている前記搬送時間ＴＴの設定値が表す時間が経過した印刷時点になると、上述のようにして、幅方向Ｘに延びる所定ライン（例えば、３ライン）ずつ対象画像ＴＤに外形画像ＲＤを重畳し、所定ライン分の印刷画像ＰＤを順次生成する。例えば、当該所定ラインは、印字部２１による画像形成領域の搬送方向Ｙの長さに応じて予め定められ、記憶部７０等に予め記憶されている。
【００６５】
図６は、印刷画像ＰＤの先端と用紙Ｐの先端とを一致させて印刷画像ＰＤを用紙Ｐに形成する処理の説明図である。これに合わせて、印刷部４２は、生成部４１による印刷画像ＰＤの生成が開始されると印刷処理を開始する。印刷部４２は、当該印刷処理において、生成部４１によって生成された所定ライン分の印刷画像ＰＤを、上述のようにして、印字部２１に順次用紙Ｐに形成させる。これにより、生成部４１及び印刷部４２は、図６のセクション（Ａ）に示すように、印刷画像ＰＤの先端と用紙Ｐの先端とが一致するようにして、印刷画像ＰＤを用紙Ｐに形成する。
【００６６】
しかし、印字部２１が、設計公差や組立公差等によって、予め定められた配置位置よりも、搬送方向Ｙにおける下流側に配置されている場合がある。これにより、搬送方向Ｙにおける検出部１６と印字部２１の離間距離ＬＨ（図１）が、記憶部７０に記憶されている離間距離ＬＨの設定値が表す距離よりも長くなっている場合がある。これに合わせて、検出部１６から印字部２１まで用紙Ｐを離間距離ＬＨだけ搬送するのに要する搬送時間ＴＴが、記憶部７０に記憶されている搬送時間ＴＴの設定値が表す時間よりも長くなっている場合がある。
【００６７】
この場合、生成部４１は、検出部１６が用紙Ｐの先端の到達を検出した時点から、記憶部７０に予め記憶されている搬送時間ＴＴの設定値が表す時間が経過した時点になると、印字部２１に用紙Ｐの先端が到達していないにも関わらず、印刷時点になったと判断し、印刷画像ＰＤの形成を開始する。これにより、印刷部４２は、当該印刷時点になると印刷処理を開始し、生成部４１によって順次生成される所定ライン分の印刷画像ＰＤを用紙Ｐに形成する。その結果、図６のセクション（Ｂ）に示すように、印刷画像ＰＤの先端から一部の領域が用紙Ｐに形成されなくなる。
【００６８】
これとは反対に、印字部２１が、設計公差や組立公差等によって、予め定められた配置位置よりも、搬送方向Ｙにおける上流側に配置されている場合がある。これにより、搬送方向Ｙにおける検出部１６と印字部２１との離間距離ＬＨ（図１）が、記憶部７０に記憶されている離間距離ＬＨの設定値が表す距離よりも短くなっている場合がある。これに合わせて、検出部１６から印字部２１まで用紙Ｐを離間距離ＬＨだけ搬送するのに要する搬送時間ＴＴが、記憶部７０に記憶されている搬送時間ＴＴの設定値が表す時間よりも短くなっている場合がある。
【００６９】
この場合、生成部４１は、用紙Ｐの先端が印字部２１を通過した後であるにも関わらず、検出部１６が用紙Ｐの先端の到達を検出した時点から、記憶部７０に記憶されている搬送時間ＴＴの設定値が表す時間が経過した時点で、印刷時点になったと判断し、印刷画像ＰＤの形成を開始する。これにより、印刷部４２は、当該印刷時点になると印刷処理を開始し、生成部４１によって順次生成される所定ライン分の印刷画像ＰＤを用紙Ｐに形成する。その結果、図６のセクション（Ｃ）に示すように、用紙Ｐの先端から一部の領域には、余白領域が存在するようになる。
【００７０】
調整部４３は、図４乃至図６のセクション（Ｂ）及び（Ｃ）を用いて上述したように、撮像部１４又は印字部２１が予め定められた配置位置とは異なる位置に配置されていることによって、用紙Ｐの不適切な位置に印刷画像ＰＤが形成されることを解消するための調整処理を行う。
【００７１】
調整処理とは、後述する試験処理を行い、その結果、印刷画像ＰＤが形成された用紙Ｐに基づき、記憶部７０に予め記憶されている、相対距離ＭＧ、搬送方向Ｙにおける検出部１６と印字部２１との離間距離ＬＨ及び検出部１６から印字部２１まで用紙Ｐを離間距離ＬＨだけ搬送するのに要する搬送時間ＴＴの設定値を、ユーザーに調整させる処理である。
【００７２】
図７は、調整処理の流れを示すフローチャートである。操作部５０又は通信部６０から調整処理を開始する指示信号が制御部４０に入力されると、調整部４３は、調整処理を開始する。調整部４３は、調整処理を開始すると、図７に示すように、先ず、試験処理を開始する（ステップＳ１）。
【００７３】
具体的には、調整部４３は、ステップＳ１において、記憶部７０に予め記憶されている第一調整画像Ｄ１（調整画像）を取得し、一枚の用紙Ｐの搬送を開始する。
【００７４】
図８は、第一調整画像Ｄ１の一例を示す図である。図８に示すように、第一調整画像Ｄ１には、自身の左側端から幅方向Ｘに所定の第一距離Ｌ１だけ離間した位置を搬送方向Ｙに延びる直線によって表すオフセット画像Ｄ１ａと、自身の幅方向Ｘの中央を搬送方向Ｙに延びる直線によって表す中央画像Ｄ１ｂと、自身の先端から所定の第三距離Ｌ３だけ搬送方向Ｙの反対方向に離間した位置を幅方向Ｘに延びる直線によって表す先端画像Ｄｙと、が含まれている。尚、第一距離Ｌ１及び第三距離Ｌ３は、記憶部７０等に予め記憶されている。第三距離Ｌ３は、用紙Ｐが所定の第一時間Ｔ１（不図示）で搬送される距離に定められている。
【００７５】
また、第一調整画像Ｄ１には、オフセット画像Ｄ１ａが表す直線に直交する複数の直線を表すオフセット目盛画像Ｍ１ａと、オフセット画像Ｄ１ａが表す直線及びオフセット目盛画像Ｍ１ａが表す複数の直線と交差する直線を表すオフセット判断画像Ｊ１ａと、が含まれる。また、第一調整画像Ｄ１には、オフセット目盛画像Ｍ１ａが表す複数の直線の其々に対応付けられた調整値を表すオフセット調整値画像Ａ１ａが含まれる。
【００７６】
また、第一調整画像Ｄ１には、中央画像Ｄ１ｂが表す直線に直交する複数の直線を表す中央目盛画像Ｍ１ｂと、中央画像Ｄ１ｂが表す直線及び中央目盛画像Ｍ１ｂが表す複数の直線と交差する直線を表す中央判断画像Ｊ１ｂと、が含まれる。また、第一調整画像Ｄ１には、中央目盛画像Ｍ１ｂが表す複数の直線の其々に対応付けられた調整値を表す中央調整値画像Ａ１ｂが含まれる。
【００７７】
また、第一調整画像Ｄ１には、先端画像Ｄｙが表す直線に直交する複数の直線を表す先端目盛画像Ｍｙと、先端画像Ｄｙが表す直線及び先端目盛画像Ｍｙが表す複数の直線と交差する直線を表す先端判断画像Ｊｙと、が含まれる。また、第一調整画像Ｄ１には、先端目盛画像Ｍｙが表す複数の直線の其々に対応付けられた調整値を表す先端調整値画像Ａｙが含まれる。
【００７８】
図７に参照を戻す。そして、ステップＳ１の後、調整部４３は、検出部１６が用紙Ｐの先端の到達を検出するまで待機する（ステップＳ２；ＮＯ）。調整部４３は、検出部１６が用紙Ｐの先端の到達を検出すると（ステップＳ２；ＹＥＳ）、当該検出後、記憶部７０に記憶されている搬送時間ＴＴの設定値が表す時間が経過するまで待機する（ステップＳ３；ＮＯ）。
【００７９】
当該搬送時間ＴＴの設定値が表す時間が経過した印刷時点になると（ステップＳ３；ＹＥＳ）、調整部４３は、用紙Ｐの先端が印字部２１に到達したと判断し、生成部４１に印刷画像ＰＤを生成させる処理を開始させる。ただし、試験処理において、調整部４３は、印刷時点から所定の第一時間Ｔ１が経過するまでの間（ステップＳ４；ＮＯ）、生成部４１によって、外形画像ＲＤを第一調整画像Ｄ１に重畳させずに、第一調整画像Ｄ１における所定ライン分の領域を余白領域に変換した画像を、当該所定ライン分の印刷画像ＰＤとして順次生成させる（ステップＳ５）。
【００８０】
一方、印刷時点から第一時間Ｔ１が経過すると（ステップＳ４；ＹＥＳ）、生成部４１によって、幅方向Ｘに延びる所定ラインずつ第一調整画像Ｄ１に外形画像ＲＤを重畳して、所定ライン分の印刷画像ＰＤを順次生成させる（ステップＳ６）。ただし、調整部４３は、ステップＳ６において、生成部４１によって、記憶部７０に予め記憶されている相対距離ＭＧの設定値ＭＧ０に基づき、第一調整画像Ｄ１の左側端と外形画像ＲＤの左側端とが一致するように第一調整画像Ｄ１に外形画像ＲＤを重畳させた後、当該外形画像ＲＤを右方向に更に所定の第一距離Ｌ１だけずらさせてから、印刷画像ＰＤを生成させる。
【００８１】
そして、ステップＳ５及びステップＳ６において、生成部４１による印刷画像ＰＤの生成が開始されると、調整部４３は、印刷部４２に印刷処理を開始させる（ステップＳ７）。印刷部４２は、ステップＳ７の印刷処理において、生成部４１によって生成された所定ライン分の印刷画像ＰＤを、印字部２１に順次用紙Ｐに形成させる。印刷部４２は、印字部２１によって最終の所定ライン分の印刷画像ＰＤが用紙Ｐに形成されると、印刷処理を終了する。
【００８２】
調整部４３は、印刷処理が終了するまでの間（ステップＳ８；ＮＯ）、ステップＳ４以降の処理を繰り返させ、印刷処理が終了すると（ステップＳ８；ＹＥＳ）、試験処理を終了する（ステップＳ９）。
【００８３】
調整部４３は、試験処理を終了すると、印刷処理によって印刷画像ＰＤが形成された用紙Ｐに基づき、調整案内画面（不図示）を操作部５０が備える表示パネルに表示する（ステップＳ１０）。調整案内画面とは、記憶部７０に予め記憶されている前記相対距離ＭＧ、前記離間距離ＬＨ及び前記搬送時間ＴＴの設定値の調整を行うことをユーザーに案内し、当該調整をユーザーに行わせるための操作画面である。
【００８４】
調整案内画面には、例えば、記憶部７０に予め記憶されている前記相対距離ＭＧ、前記離間距離ＬＨ及び前記搬送時間ＴＴの設定値の調整を行うことをユーザーに案内するメッセージ、及び、当該各設定値の編集欄が含まれる。調整部４３は、調整案内画面を表示パネルに表示するとき、当該各設定値の編集欄に、記憶部７０に予め記憶されている当該各設定値を入力する。その後、当該編集欄では、ユーザーによる操作部５０の操作によって、当該編集欄に入力されている各設定値が編集される。調整部４３は、当該編集欄で編集された各設定値によって、記憶部７０に記憶されている各設定値を更新する。
【００８５】
図９は、第一調整画像Ｄ１を用いて行う試験処理の説明図である。検出部１６及び印字部２１が用紙Ｐの搬送方向Ｙにおいて予め定められた配置位置に存在し、記憶部７０に記憶されている前記離間距離ＬＨ及び前記搬送時間ＴＴが正しい場合に、試験処理が行われたとする。この場合、印刷時点において用紙Ｐの先端が印字部２１に到達し、印刷時点から第一時間Ｔ１が経過するまでの間に用紙Ｐが第三距離Ｌ３だけ搬送される。
【００８６】
この間に、ステップＳ５が行われることによって、図９のセクション（Ａ）に示すように、第一調整画像Ｄ１の先端から搬送方向Ｙとは反対方向に第三距離Ｌ３だけ離間した位置までの領域が、所定ライン分ずつ余白領域に変換される。尚、説明の便宜上、図９のセクション（Ａ）において、外形画像ＲＤは少しずらして図示している。
【００８７】
そして、ステップＳ７が行われることによって、図９のセクション（Ｂ）に示すように、用紙Ｐの先端に搬送方向Ｙの長さが第三距離Ｌ３である余白領域が存在し、用紙Ｐの先端から搬送方向Ｙの反対方向に第三距離Ｌ３だけ離間した位置には先端画像Ｄｙが形成される。つまり、用紙Ｐの先端に存在する余白領域の搬送方向Ｙの長さＬＴと第三距離Ｌ３との差分は０となる。
【００８８】
その後、ステップＳ６が行われることによって、図９のセクション（Ａ）に示すように、記憶部７０に予め記憶されている相対距離ＭＧの設定値ＭＧ０に基づき、第一調整画像Ｄ１の左側端と外形画像ＲＤの左側端とを一致させ、更に外形画像ＲＤを右方向に第一距離Ｌ１ずらして第一調整画像Ｄ１に外形画像ＲＤを重畳した場合に、第一調整画像Ｄ１における外形画像ＲＤで覆われない領域が余白領域に変更された印刷画像ＰＤが生成される。
【００８９】
そして、ステップＳ７が行われることによって、図９のセクション（Ｂ）に示すように、用紙Ｐの左側端には幅方向Ｘの長さが第一距離Ｌ１の余白領域が存在し、用紙Ｐの幅方向Ｘの中央には中央画像Ｄ１ｂが形成され、用紙Ｐの左側端から右方向に第一距離Ｌ１離間した位置にはオフセット画像Ｄ１ａが形成される。つまり、用紙Ｐの左側端に存在する余白領域の幅方向Ｘの長さと第一距離Ｌ１との差分は０となる。また、用紙Ｐに形成された中央画像Ｄ１ｂが表す第一調整画像Ｄ１の幅方向Ｘの中央と用紙Ｐの幅方向Ｘの中央との離間距離は０となる。
【００９０】
一方、図４のセクション（Ｂ）及び（Ｃ）を用いて上述したように、撮像部１４が予め定められた配置位置とは異なる位置に配置されていた場合に、試験処理を行ったとする。この場合、上述の試験処理が行われると、ステップＳ６において、記憶部７０に予め記憶されている誤った相対距離ＭＧの設定値ＭＧ０に基づき、第一調整画像Ｄ１に外形画像ＲＤが重畳され、第一調整画像Ｄ１の左側端から右方向に第一距離Ｌ１とは異なる距離離間した位置までの領域が余白領域に変更された印刷画像ＰＤが形成され、ステップＳ７の印刷処理が行われる。その結果、例えば図９のセクション（Ｃ）に示すように、用紙Ｐの左側端には幅方向Ｘの長さが第一距離Ｌ１とは異なる余白領域が存在するようになり、当該余白領域の幅方向Ｘの長さＬＳと第一距離Ｌ１との差分ｄｓが０ではなくなる。
【００９１】
また、図５のセクション（Ｂ）及び（Ｃ）を用いて上述したように、印字部２１が予め定められた配置位置とは異なる位置に存在し、記憶部７０に予め記憶されている相対距離ＭＧの設定値ＭＧ０が誤っている場合に、試験処理が行われるとする。この場合、ステップＳ７の印刷処理において、誤った相対距離ＭＧの設定値ＭＧ０に基づき、印刷画像ＰＤにおける幅方向Ｘの中央と用紙Ｐにおける幅方向Ｘの中央とが一致するようにして印刷画像が用紙Ｐに形成される。その結果、例えば図９のセクション（Ｃ）に示すように、用紙Ｐに形成された中央画像Ｄ１ｂが表す第一調整画像Ｄ１の幅方向Ｘの中央と用紙Ｐの幅方向Ｘの中央との離間距離ｄｃが０ではなくなる。
【００９２】
また、図６のセクション（Ｂ）及び（Ｃ）を用いて上述したように、検出部１６又は印字部２１が用紙Ｐの搬送方向において予め定められた配置位置とは異なる位置に存在し、記憶部７０に記憶されている前記搬送時間ＴＴが誤っているとする。この場合、上述の試験処理が行われると、印刷時点において、用紙Ｐの先端の位置は印字部２１とは異なる位置に存在する。したがって、印刷時点から第一時間Ｔ１が経過するまでの間に用紙Ｐが第三距離Ｌ３搬送されると、用紙Ｐの先端から搬送方向Ｙの反対方向に第三距離Ｌ３だけ離間した位置は、印字部２１とは異なる位置に存在することになる。
【００９３】
このため、ステップＳ５及びステップＳ７によって、例えば図９のセクション（Ｃ）に示すように、第一調整画像Ｄ１の先端から搬送方向Ｙの反対方向に第三距離Ｌ３とは異なる距離だけ離間した位置までの領域が、所定ライン分ずつ余白領域に変換され、用紙Ｐの先端に搬送方向Ｙの長さが第三距離Ｌ３とは異なる余白領域が存在するようになる。つまり、用紙Ｐの先端に存在する余白領域の搬送方向Ｙの長さＬＴと第三距離Ｌ３との差分ｄｔは０ではなくなる。
【００９４】
ユーザーは、ステップＳ１０において表示パネルに調整案内画面が表示されると、用紙Ｐの左側端に存在する余白領域の幅方向Ｘの長さＬＳと第一距離Ｌ１との差分ｄｓ、用紙Ｐに形成された中央画像Ｄ１ｂが表す第一調整画像Ｄ１の幅方向Ｘの中央と用紙Ｐの幅方向Ｘの中央との離間距離ｄｃ、及び用紙Ｐの先端に存在する余白領域の搬送方向Ｙの長さＬＴと第三距離Ｌ３との差分ｄｔが０であるか否かを判断する。
【００９５】
ユーザーは、前記差分ｄｓ、前記離間距離ｄｃ及び前記差分ｄｔが全て０であれば、用紙Ｐに対する画像の形成位置にずれがないと判断し、操作部５０を用いて調整処理の終了指示を入力する（Ｓ１１；ＮＯ）。この場合、調整部４３は、調整処理を終了する。一方、ユーザーは、前記差分ｄｓ、前記離間距離ｄｃ及び前記差分ｄｔの少なくとも一つが０ではないと判断した場合、用紙Ｐに対する画像の形成位置にずれがあると判断する（ステップＳ１１；ＹＥＳ）。この場合、ユーザーは、操作部５０を用いて、前記差分ｄｓ、前記離間距離ｄｃ及び前記差分ｄｔが全て０となるように、記憶部７０に記憶されている前記相対距離ＭＧ、前記離間距離ＬＨ及び前記搬送時間ＴＴの設定値を調整する（ステップＳ１２）。
【００９６】
以下、ステップＳ１１及びＳ１２における各設定値の調整方法の詳細について説明する。先ず、試験処理後の用紙Ｐの左側端に存在する余白領域の幅方向Ｘの長さＬＳと第一距離Ｌ１との差分ｄｓに基づく、記憶部７０に記憶されている前記相対距離ＭＧの設定値の調整方法について説明する。
【００９７】
＜差分ｄｓに基づく調整方法＞
図１０は、試験処理後の用紙Ｐの左側端に存在する余白領域の幅方向Ｘの長さＬＳと第一距離Ｌ１との差分ｄｓに基づく調整方法の説明図である。図８及び図１０のセクション（Ａ）に示すように、オフセット画像Ｄ１ａが表す直線とオフセット判断画像Ｊ１ａが表す直線とオフセット目盛画像Ｍ１ａに含まれる複数の直線のうち、オフセット調整値画像Ａ１ａが表す調整値「０．０」に対応付けられた直線は、第一基準点Ｐ１ａで交差するように配置されている。つまり、当該三個の直線は、試験処理後の用紙Ｐの左側端に、幅方向Ｘの長さが第一距離Ｌ１の余白領域が形成され、当該余白領域の幅方向Ｘの長さＬＳと第一距離Ｌ１との差分ｄｓが０である場合に、当該余白領域の右側端が第一基準点Ｐ１ａ上に位置するように配置されている。
【００９８】
オフセット調整値画像Ａ１ａが表す調整値は、オフセット目盛画像Ｍ１ａに含まれる複数の直線のうち、当該調整値が対応づけられた直線と試験処理後の用紙Ｐの左側端に存在する余白領域の右側端が交差している場合に、当該余白領域の幅方向Ｘの長さと第一距離Ｌ１との差分ｄｓを０にするための前記相対距離ＭＧの調整値を示している。
【００９９】
したがって、ユーザーは、ステップＳ１１において、試験処理後の用紙Ｐの左側端に存在する余白領域の右側端が、第一基準点Ｐ１ａ上に位置する場合には、前記差分ｄｓが０と判断する。
【０１００】
一方、例えば、図４のセクション（Ｂ）を用いて上述したように、撮像部１４が予め定められた配置位置よりも右方向にずれて配置され、相対距離ＭＧが記憶部７０に記憶されている設定値ＭＧ０が表す相対距離ＭＧよりも長くなっている場合に、試験処理が行われたとする。この場合、ステップＳ６において、左方向にずれた外形画像ＲＤを第一調整画像Ｄ１に重畳して生成された印刷画像ＰＤが、ステップＳ７において用紙Ｐに形成される。これにより、試験処理後の用紙Ｐの左側端には、幅方向Ｘの長さが第一距離Ｌ１よりも短い余白領域が存在するようになる。その結果、例えば、図１０のセクション（Ｂ）に示すように、当該余白領域の右側端が、オフセット目盛画像Ｍ１ａに含まれる複数の直線のうち、第一基準点Ｐ１ａを含む直線よりも第一調整画像Ｄ１の後端側に存在する直線とオフセット判断画像Ｊ１ａが表す直線との交差点Ｚ１ａにおいて交差する。
【０１０１】
この場合、ユーザーは、ステップＳ１１において、当該余白領域の右側端が第一基準点Ｐ１ａ上に位置しないので、前記差分ｄｓが０ではないと判断する。そして、ステップＳ１２において、ユーザーは、記憶部７０に記憶されている前記相対距離ＭＧの設定値ＭＧ０の編集欄において、当該編集欄に入力されている設定値ＭＧ０に、交差点Ｚ１ａを含む直線に対応付けられている調整値を加算する。
【０１０２】
尚、オフセット目盛画像Ｍ１ａに含まれる複数の直線のうち、第一基準点Ｐ１ａを含む直線よりも第一調整画像Ｄ１の後端に近い直線には、第一調整画像Ｄ１の後端に近い程、大きい正の調整値が対応付けられている。つまり、撮像部１４が予め定められた配置位置よりも右方向に大きくずれて配置され、相対距離ＭＧが記憶部７０に記憶されている設定値ＭＧ０が表す相対距離ＭＧよりも大幅に長くなっていることで、余白領域の右側端が第一基準点Ｐ１ａよりも大きく左方向にずれる程、設定値ＭＧ０を大きく増大させる調整を適切に行えるように、調整値が定められている。
【０１０３】
一方、例えば、図４のセクション（Ｃ）を用いて上述したように、撮像部１４が予め定められた配置位置よりも左方向にずれて配置され、相対距離ＭＧが、記憶部７０に記憶されている設定値ＭＧ０が表す相対距離ＭＧよりも短くなっている場合に、試験処理が行われたとする。この場合、ステップＳ６において、右方向にずれた外形画像ＲＤを第一調整画像Ｄ１に重畳して生成された印刷画像ＰＤが、ステップＳ７において用紙Ｐに形成される。これにより、試験処理後の用紙Ｐの左側端には、幅方向Ｘの長さが第一距離Ｌ１よりも長い余白領域が存在するようになる。その結果、当該余白領域の右側端は、オフセット目盛画像Ｍ１ａに含まれる複数の直線のうち、第一基準点Ｐ１ａを含む直線よりも、第一調整画像Ｄ１の先端側に存在する直線（例えば、図１０のセクション（Ｂ）に示す調整値「−０．３」が対応付けられた直線）とオフセット判断画像Ｊ１ａが表す直線との交差点において交差する。
【０１０４】
この場合、ユーザーは、ステップＳ１１において、当該余白領域の右側端が第一基準点Ｐ１ａ上に位置しないので、前記差分ｄｓが０ではないと判断する。そして、ステップＳ１２において、ユーザーは、記憶部７０に記憶されている前記相対距離ＭＧの設定値ＭＧ０の編集欄において、当該編集欄に入力されている設定値ＭＧ０に、当該交差点を含む直線に対応付けられている調整値（例えば、「−０．３」）を加算する。
【０１０５】
尚、オフセット目盛画像Ｍ１ａに含まれる複数の直線のうち、第一基準点Ｐ１ａを含む直線よりも第一調整画像Ｄ１の先端に近い直線には、第一調整画像Ｄ１の先端に近い程、絶対値が大きい負の調整値が対応付けられている。つまり、撮像部１４が予め定められた配置位置よりも左方向に大きくずれて配置され、相対距離ＭＧが記憶部７０に記憶されている設定値ＭＧ０が表す相対距離ＭＧよりも大幅に短くなっていることで、余白領域の右側端が第一基準点Ｐ１ａよりも大きく右方向にずれる程、相対距離ＭＧの設定値ＭＧ０を大きく減少させる調整が行えるように、調整値が定められている。
【０１０６】
＜離間距離ｄｃに基づく調整方法＞
次に、試験処理後の用紙Ｐに形成された中央画像Ｄ１ｂが表す第一調整画像Ｄ１の幅方向Ｘの中央と用紙Ｐの幅方向Ｘの中央との離間距離ｄｃに基づく、記憶部７０に記憶されている前記相対距離ＭＧの設定値の調整方法について説明する。
【０１０７】
図１１は、試験処理後の用紙Ｐに形成された中央画像Ｄ１ｂが表す第一調整画像Ｄ１の幅方向Ｘの中央と用紙Ｐの幅方向Ｘの中央との離間距離ｄｃに基づく調整方法の説明図である。図８及び図１１のセクション（Ａ）に示すように、中央画像Ｄ１ｂが表す直線と中央判断画像Ｊ１ｂが表す直線とオフセット目盛画像Ｍ１ｂに含まれる複数の直線のうち、中央調整値画像Ｂ１ｂが表す調整値「０．０」に対応付けられた直線は、中央基準点Ｐ１ｂで交差するように配置されている。つまり、当該三個の直線は、試験処理後の用紙Ｐに形成された中央画像Ｄ１ｂが表す第一調整画像Ｄ１の幅方向Ｘの中央と用紙Ｐの幅方向Ｘの中央との離間距離ｄｃが０である場合に、図１１のセクション（Ａ）に示すように、当該用紙Ｐを幅方向Ｘの中央で二つ折り（山折り）にしたときに、折り目が中央基準点Ｐ１ｂ上に位置するように配置されている。
【０１０８】
中央調整値画像Ａ１ｂが表す調整値は、中央目盛画像Ｍ１ｂに含まれる複数の直線のうち、当該調整値が対応づけられた直線と試験処理後の用紙Ｐを幅方向Ｘの中央で二つ折り（山折り）にしたときの折り目が交差している場合に、中央画像Ｄ１ｂが表す第一調整画像Ｄ１の幅方向Ｘの中央と当該折り目が表す試験処理後の用紙Ｐの幅方向Ｘの中央との離間距離ｄｃを０にするための前記相対距離ＭＧの調整値を示している。
【０１０９】
したがって、ユーザーは、ステップＳ１１において、試験処理後の用紙Ｐを幅方向Ｘの中央で二つ折り（山折り）にしたときの折り目が、中央基準点Ｐ１ｂ上に位置する場合には、前記離間距離ｄｃが０と判断する。
【０１１０】
一方、例えば、図５のセクション（Ｃ）を用いて上述したように、印字部２１が予め定められた配置位置よりも右方向にずれて配置され、相対距離ＭＧが記憶部７０に記憶されている設定値ＭＧ０が表す相対距離ＭＧよりも短くなっている場合に、試験処理が行われたとする。この場合、ステップＳ７において、ステップＳ６で生成された印刷画像ＰＤの幅方向Ｘの中央が、用紙Ｐの幅方向Ｘの中央よりも右方向にずれた位置となるように、印刷画像ＰＤが用紙Ｐに形成される。これにより、試験処理後の用紙Ｐを幅方向Ｘの中央で二つ折り（山折り）にしたときの折り目が、図１１のセクション（Ｂ）に示すように、中央基準点Ｐ１ｂを含む直線よりも、第一調整画像Ｄ１の先端側に存在する直線と中央判断画像Ｊ１ｂが表す直線との交差点Ｚ１ｂにおいて交差する。
【０１１１】
この場合、ユーザーは、ステップＳ１１において、試験処理後の用紙Ｐを幅方向Ｘの中央で二つ折り（山折り）にしたときの折り目が、中央基準点Ｐ１ｂ上に位置しないので前記離間距離ｄｃが０ではないと判断する。そして、ステップＳ１２において、ユーザーは、記憶部７０に記憶されている前記相対距離ＭＧの設定値ＭＧ０の編集欄において、当該編集欄に入力されている設定値ＭＧ０に、交差点Ｚ１ｂを含む直線に対応付けられている調整値を加算する。
【０１１２】
尚、中央目盛画像Ｍ１ｂに含まれる複数の直線のうち、中央基準点Ｐ１ｂを含む直線よりも第一調整画像Ｄ１の先端に近い直線には、第一調整画像Ｄ１の先端に近い程、大きい絶対値の負の調整値が対応付けられている。つまり、印字部２１が予め定められた配置位置よりも右方向に大きくずれて配置され、相対距離ＭＧが記憶部７０に記憶されている設定値ＭＧ０が表す相対距離ＭＧよりも大幅に短くなっていることで、前記折り目が中央基準点Ｐ１ｂよりも大きく左方向にずれる程、設定値ＭＧ０を大きく減少させる調整を適切に行えるように、調整値が定められている。
【０１１３】
一方、例えば、図５のセクション（Ｃ）を用いて上述したように、印字部２１が予め定められた配置位置よりも左方向にずれて配置され、相対距離ＭＧが記憶部７０に記憶されている設定値ＭＧ０が表す相対距離ＭＧよりも長くなっている場合に、試験処理が行われたとする。この場合、ステップＳ７において、ステップＳ６で生成された印刷画像ＰＤの幅方向Ｘの中央が、用紙Ｐの幅方向Ｘの中央よりも左方向にずれた位置となるように、印刷画像ＰＤが用紙Ｐに形成される。これにより、試験処理後の用紙Ｐを幅方向Ｘの中央で二つ折り（山折り）にしたときの折り目が、中央基準点Ｐ１ｂを含む直線よりも、第一調整画像Ｄ１の後端側に存在する直線（例えば、図１１のセクション（Ｂ）に示す、調整値「０．１」が対応付けられた直線）と中央判断画像Ｊ１ｂが表す直線との交差点において交差する。
【０１１４】
この場合、ユーザーは、ステップＳ１１において、試験処理後の用紙Ｐを幅方向Ｘの中央で二つ折り（山折り）にしたときの折り目が、中央基準点Ｐ１ｂ上に位置しないので前記離間距離ｄｃが０ではないと判断する。そして、ステップＳ１２において、ユーザーは、記憶部７０に記憶されている前記相対距離ＭＧの設定値ＭＧ０の編集欄において、当該編集欄に入力されている設定値ＭＧ０に、当該交差点を含む直線に対応付けられている調整値（例えば、「０．１」）を加算する。
【０１１５】
尚、中央目盛画像Ｍ１ｂに含まれる複数の直線のうち、中央基準点Ｐ１ｂを含む直線よりも第一調整画像Ｄ１の後端に近い直線には、第一調整画像Ｄ１の後端に近い程、大きい正の調整値が対応付けられている。つまり、印字部２１が予め定められた配置位置よりも左方向に大きくずれて配置され、相対距離ＭＧが記憶部７０に記憶されている設定値ＭＧ０が表す相対距離ＭＧよりも大幅に長くなっていることで、前記折り目が中央基準点Ｐ１ｂよりも大きく右方向にずれる程、設定値ＭＧ０を大きく増大させる調整を適切に行えるように、調整値が定められている。
【０１１６】
＜差分ｄｔに基づく調整方法＞
次に、用紙Ｐの先端に存在する余白領域の搬送方向Ｙの長さＬＴと第三距離Ｌ３との差分ｄｔに基づく、記憶部７０に記憶されている前記離間距離ＬＨ及び前記搬送時間ＴＴの設定値の調整方法について説明する。
【０１１７】
図１２は、試験処理後の用紙Ｐの先端に存在する余白領域の搬送方向Ｙの長さに基づく調整方法の説明図である。図８及び図１２のセクション（Ａ）に示すように、先端画像Ｄｙが表す直線と先端判断画像Ｊｙが表す直線と先端目盛画像Ｍｙに含まれる複数の直線のうち、先端調整値画像Ａｙが表す調整値「０」に対応付けられた直線は、先端基準点Ｐｙで交差するように配置されている。つまり、当該三個の直線は、試験処理後の用紙Ｐの先端に、搬送方向Ｙの長さが第三距離Ｌ３の余白領域が形成され、当該余白領域の搬送方向Ｙの長さＬＴと第三距離Ｌ３との差分ｄｔが０である場合に、当該余白領域の後端が先端基準点Ｐｙ上に位置するように配置されている。
【０１１８】
先端調整値画像Ａｙが表す調整値は、先端目盛画像Ｍｙに含まれる複数の直線のうち、当該調整値が対応づけられた直線と試験処理後の用紙Ｐの先端に存在する余白領域の後端が交差している場合に、当該余白領域の搬送方向Ｙの長さと第三距離Ｌ３との差分ｄｔを０にするための前記離間距離ＬＨの調整値を示している。
【０１１９】
したがって、ユーザーは、ステップＳ１１において、試験処理後の用紙Ｐの先端に存在する余白領域の後端が、先端基準点Ｐｙ上に位置する場合には、前記差分ｄｔが０と判断する。
【０１２０】
一方、例えば、図６のセクション（Ｃ）を用いて上述したように、印字部２１が予め定められた配置位置よりも搬送方向Ｙにおける上流側に配置され、離間距離ＬＨが記憶部７０に記憶されている設定値が表す離間距離ＬＨよりも短くなっている場合がある。これに合わせて、検出部１６から印字部２１まで用紙Ｐを離間距離ＬＨだけ搬送するのに要する搬送時間ＴＴが、記憶部７０に記憶されている搬送時間ＴＴの設定値が表す時間よりも短くなっている場合がある。この場合に、試験処理が行われると、用紙Ｐの先端が印字部２１を通過した後に、ステップＳ７の印刷処理が開始され、試験処理後の用紙Ｐの先端には搬送方向Ｙの長さが第三距離Ｌ３よりも長い余白領域が存在するようになる。その結果、例えば、図１２のセクション（Ｂ）に示すように、当該余白領域の後端が、先端目盛画像Ｍｙに含まれる複数の直線のうち、先端基準点Ｐｙを含む直線よりも右方向に存在する直線と先端判断画像Ｊｙが表す直線との交差点Ｚｙにおいて交差する。
【０１２１】
この場合、ユーザーは、ステップＳ１１において、当該余白領域の後端が先端基準点Ｐｙ上に位置しないので、前記差分ｄｔが０ではないと判断する。そして、ステップＳ１２において、ユーザーは、前記離間距離ＬＨの設定値の編集欄において、当該編集欄に入力されている設定値に、交差点Ｚｙを含む直線に対応付けられている調整値を減算する。また、調整部４３は、当該調整値を減算した後の前記離間距離ＬＨの設定値を用紙Ｐの所定の搬送速度で除算した結果を、前記搬送時間ＴＴの設定値の編集欄に入力する。これにより、調整部４３は、離間距離ＬＨの設定値の調整に合わせて、前記搬送時間ＴＴの設定値を自動的に調整する。尚、これに限らず、ユーザーが操作部５０を用いて、離間距離ＬＨの設定値を用紙Ｐの所定の搬送速度で除算した結果を、搬送時間ＴＴの設定値の編集欄に入力するようにしてもよい。
【０１２２】
尚、先端目盛画像Ｍｙに含まれる複数の直線のうち、先端基準点Ｐｙを含む直線よりも第一調整画像Ｄ１の右側端に近い直線には、第一調整画像Ｄ１の右側端に近い程、大きい正の調整値が対応付けられている。つまり、印字部２１が予め定められた配置位置よりも搬送方向Ｙにおける上流側に大きくずれて配置され、離間距離ＬＨが記憶部７０に記憶されている設定値が表す離間距離ＬＨよりも大幅に短くなっていることで、余白領域の後端が先端基準点Ｐｙよりも大きく搬送方向Ｙの反対方向にずれる程、離間距離ＬＨの設定値を大きく減少させる調整を適切に行えるように、調整値が定められている。
【０１２３】
一方、例えば、図６のセクション（Ｂ）を用いて上述したように、印字部２１が予め定められた配置位置よりも搬送方向Ｙにおける下流側にずれて配置され、離間距離ＬＨが記憶部７０に記憶されている設定値が表す離間距離ＬＨよりも長くなっている場合がある。これに合わせて、検出部１６から印字部２１まで用紙Ｐを離間距離ＬＨだけ搬送するのに要する搬送時間ＴＴが、記憶部７０に記憶されている搬送時間ＴＴの設定値が表す時間よりも長くなっている場合がある。この場合に、試験処理が行われると、用紙Ｐの先端が印字部２１に到達する前に、ステップＳ７の印刷処理が開始され、試験処理後の用紙Ｐの先端には搬送方向Ｙの長さが第三距離Ｌ３よりも短い余白領域が存在するようになる。その結果、当該余白領域の後端が、先端目盛画像Ｍｙに含まれる複数の直線のうち、先端基準点Ｐｙを含む直線よりも第一調整画像Ｄ１の左方向に存在する直線と先端判断画像Ｊｙが表す直線との交差点において交差する。
【０１２４】
この場合、ユーザーは、ステップＳ１１において、当該余白領域の後端が、先端基準点Ｐｙ上に位置しないので前記差分ｄｔが０ではないと判断する。そして、ステップＳ１２において、ユーザーは、前記離間距離ＬＨの設定値の編集欄において、当該編集欄に入力されている設定値に、当該交差点を含む直線に対応付けられている調整値（例えば、「−０．５」）を減算する。また、調整部４３は、当該調整値を減算した後の前記離間距離ＬＨの設定値を用紙Ｐの所定の搬送速度で除算した結果を、前記搬送時間ＴＴの設定値の編集欄に入力する。これにより、調整部４３は、離間距離ＬＨの設定値の調整に合わせて、前記搬送時間ＴＴの設定値を自動的に調整する。尚、これに限らず、ユーザーが操作部５０を用いて、離間距離ＬＨの設定値を用紙Ｐの所定の搬送速度で除算した結果を、搬送時間ＴＴの設定値の編集欄に入力するようにしてもよい。
【０１２５】
尚、先端目盛画像Ｍｙに含まれる複数の直線のうち、先端基準点Ｐｙを含む直線よりも第一調整画像Ｄ１の左側端に近い直線には、第一調整画像Ｄ１の左側端に近い程、絶対値が大きい負の調整値が対応付けられている。つまり、印字部２１が予め定められた配置位置よりも搬送方向Ｙにおける下流側に大きくずれて配置され、離間距離ＬＨが記憶部７０に記憶されている設定値が表す離間距離ＬＨよりも大幅に長くなっていることで、余白領域の後端が先端基準点Ｐｙよりも大きく搬送方向Ｙにずれる程、離間距離ＬＨの設定値を大きく増大させる調整を適切に行えるように、調整値が定められている。
【０１２６】
このように、第一実施形態の構成によれば、印字部２１及び撮像部１４が予め定められた配置位置に存在しない場合であっても、調整処理を行うことによって、印字部２１及び撮像部１４が予め定められた配置位置に存在するときと同様、前記差分ｄｓ、前記離間距離ｄｃ、及び前記差分ｄｔが０となるように、記憶部７０に記憶されている前記相対距離ＭＧ、前記離間距離ＬＨ及び前記搬送時間ＴＴの設定値を調整することができる。これにより、印字部２１及び撮像部１４が予め定められた配置位置に存在するときと同様、印刷画像ＰＤを用紙Ｐの適切な位置に形成できるようになる。
【０１２７】
＜第二実施形態＞
次に、本発明における調整方法の第二実施形態について説明する。尚、以下の説明では、第一実施形態と同一の構成要素については、第一実施形態と同一の符号を付し、その説明を省略する。
【０１２８】
第二実施形態では、調整部４３が、図７のステップＳ６において、生成部４１によって、記憶部７０に予め記憶されている相対距離ＭＧの設定値ＭＧ０に基づき、第一調整画像Ｄ１に替えて、記憶部７０に予め記憶されている後述の第二調整画像Ｄ２（調整画像）の左側端と外形画像ＲＤの左側端とが一致するように、第二調整画像Ｄ２に外形画像ＲＤを重畳させることで印刷画像ＰＤを生成させ、更に、当該印刷画像ＰＤの両側端から幅方向Ｘに第二距離Ｌ２離間した位置までの領域を余白領域に変更させる点が、第一実施形態とは異なっている。
【０１２９】
また、第二実施形態では、調整部４３が、図７のステップＳ１１及びＳ１２において、試験処理後の用紙Ｐの両側端に存在する余白領域の幅方向Ｘの長さと第二距離Ｌ２との差分及び用紙Ｐに形成された中央画像Ｄ２ｂが表す第二調整画像Ｄ２の幅方向Ｘの中央と用紙Ｐの幅方向Ｘの中央との離間距離が０になるように、記憶部７０に記憶されている前記相対距離ＭＧの設定値を調整する点が異なっている。
【０１３０】
図１３は、第二調整画像Ｄ２の一例を示す図である。具体的には、図１３に示すように、第二調整画像Ｄ２には、自身の両側端から幅方向Ｘに所定の第二距離Ｌ２だけ離間した位置を搬送方向Ｙに延びる直線によって表すオフセット画像Ｄ２ａ、Ｄ２ｃが含まれている。また、第二調整画像Ｄ２には、第一調整画像Ｄ１の中央画像Ｄ１ｂと同様、自身の幅方向Ｘの中央を搬送方向Ｙに延びる直線によって表す中央画像Ｄ２ｂが含まれている。また、第二調整画像Ｄ２には、第一調整画像Ｄ１の先端画像Ｄｙと同様の先端画像Ｄｙが含まれている。尚、第二距離Ｌ２は、記憶部７０等に予め記憶されている。
【０１３１】
また、第二調整画像Ｄ２には、オフセット画像Ｄ２ａ、Ｄ２ｃが表す直線に直交する複数の直線を表すオフセット目盛画像Ｍ２ａ、Ｍ２ｃと、オフセット画像Ｄ２ａ、Ｄ２ｃが表す直線及びオフセット目盛画像Ｍ２ａ、Ｍ２ｃが表す複数の直線と交差する直線を表すオフセット判断画像Ｊ２ａ、Ｊ２ｃと、が含まれる。また、第二調整画像Ｄ２には、オフセット目盛画像Ｍ２ａ、Ｍ２ｃが表す複数の直線の其々に対応付けられた調整値を表すオフセット調整値画像Ａ２ａ、Ａ２ｃが含まれる。
【０１３２】
また、第二調整画像Ｄ２には、第一調整画像Ｄ１の中央目盛画像Ｍ１ｂ、中央判断画像Ｊ１ｂ及び中央調整値画像Ａ１ｂと同様、中央画像Ｄ２ｂが表す直線に直交する複数の直線を表す中央目盛画像Ｍ２ｂと、中央画像Ｄ２ｂが表す直線及び中央目盛画像Ｍ２ｂが表す複数の直線と交差する直線を表す中央判断画像Ｊ２ｂと、中央目盛画像Ｍ２ｂが表す複数の直線の其々に対応付けられた調整値を表す中央調整値画像Ａ２ｂと、が含まれる。また、第二調整画像Ｄ２には、第一調整画像Ｄ１と同様の、先端目盛画像Ｍｙ、先端判断画像Ｊｙ及び先端調整値画像Ａｙが含まれる。
【０１３３】
以下、第二調整画像Ｄ２を用いて行う試験処理について説明する。図１４は、第二調整画像Ｄ２を用いて行う試験処理の説明図である。検出部１６及び印字部２１が用紙Ｐの搬送方向Ｙにおいて予め定められた配置位置に存在し、記憶部７０に記憶されている前記離間距離ＬＨ及び前記搬送時間ＴＴが正しい場合に、試験処理が行われたとする。この場合、印刷時点において用紙Ｐの先端が印字部２１に到達し、印刷時点から第一時間Ｔ１が経過するまでの間に用紙Ｐが第三距離Ｌ３だけ搬送される。この間、ステップＳ５が行われることによって、図１４のセクション（Ａ）に示すように、第二調整画像Ｄ２の先端から搬送方向Ｙとは反対方向に第三距離Ｌ３だけ離間した位置までの領域が、所定ライン分ずつ余白領域に変換される。そして、ステップＳ７が行われることによって、図１４のセクション（Ｂ）に示すように、用紙Ｐの先端に搬送方向Ｙの長さが第三距離Ｌ３である余白領域が存在し、用紙Ｐの先端から搬送方向Ｙの反対方向に第三距離Ｌ３だけ離間した位置には先端画像Ｄｙが形成される。つまり、用紙Ｐの先端に存在する余白領域の搬送方向Ｙの長さＬＴと第三距離Ｌ３との差分は０となる。
【０１３４】
その後、ステップＳ６が行われることによって、図１４のセクション（Ａ）に示すように、記憶部７０に予め記憶されている相対距離ＭＧの設定値ＭＧ０に基づき、第二調整画像Ｄ２の左側端と外形画像ＲＤの左側端とを一致させて第二調整画像Ｄ２に外形画像ＲＤを重畳した場合に、第二調整画像Ｄ２における外形画像ＲＤで覆われない領域が余白領域に変更された印刷画像ＰＤが生成される。更に、当該印刷画像ＰＤにおける両側端から幅方向Ｘに第二距離Ｌ２だけ離間した位置までの領域が余白領域に変更される。そして、ステップＳ７が行われることによって、図１４のセクション（Ｂ）に示すように、用紙Ｐの両側端には幅方向Ｘの長さが第二距離Ｌ２の余白領域が存在し、用紙Ｐの幅方向Ｘの中央には中央画像Ｄ２ｂが形成され、用紙Ｐの両側端から第二距離Ｌ２だけ離間した位置にはオフセット画像Ｄ２ａ、Ｄ２ｃが形成される。つまり、用紙Ｐの両側端に存在する余白領域の幅方向Ｘの長さと第二距離Ｌ２との差分は０となる。また、用紙Ｐに形成された中央画像Ｄ２ｂが表す第二調整画像Ｄ２の幅方向Ｘの中央と用紙Ｐの幅方向Ｘの中央との離間距離は０となる。
【０１３５】
一方、図４のセクション（Ｂ）及び（Ｃ）を用いて上述したように、撮像部１４が予め定められた配置位置とは異なる位置に配置されていた場合に、試験処理を行ったとする。この場合、上述の試験処理が行われると、ステップＳ６において、記憶部７０に予め記憶されている誤った相対距離ＭＧの設定値ＭＧ０に基づき、第二調整画像Ｄ２に外形画像ＲＤが重畳され、第二調整画像Ｄ２の両側端から幅方向Ｘに第二距離Ｌ２とは異なる距離離間した位置までの領域が余白領域に変更された印刷画像ＰＤが形成され、ステップＳ７の印刷処理が行われる。その結果、例えば図１４のセクション（Ｃ）に示すように、用紙Ｐの両側端には幅方向Ｘの長さが第二距離Ｌ２とは異なる余白領域が存在するようになり、当該余白領域の幅方向Ｘの長さＬＳａ、ＬＳｃと第二距離Ｌ２との差分ｄｓａ、ｄｓｃが０ではなくなる。
【０１３６】
また、図５のセクション（Ｂ）及び（Ｃ）を用いて上述したように、印字部２１が予め定められた配置位置とは異なる位置に存在し、記憶部７０に予め記憶されている相対距離ＭＧの設定値ＭＧ０が誤っている場合に、試験処理が行われるとする。この場合、ステップＳ７の印刷処理において、誤った相対距離ＭＧの設定値ＭＧ０に基づき、印刷画像ＰＤにおける幅方向Ｘの中央と用紙Ｐにおける幅方向Ｘの中央とが一致するようにして印刷画像が用紙Ｐに形成される。その結果、例えば図１４のセクション（Ｃ）に示すように、用紙Ｐに形成された中央画像Ｄ２ｂが表す第二調整画像Ｄ２の幅方向Ｘの中央と用紙Ｐの幅方向Ｘの中央との離間距離ｄｃが０ではなくなる。
【０１３７】
また、図６のセクション（Ｂ）及び（Ｃ）を用いて上述したように、検出部１６又は印字部２１が用紙Ｐの搬送方向において予め定められた配置位置とは異なる位置に存在し、記憶部７０に記憶されている前記搬送時間ＴＴが誤っているとする。この場合、上述の試験処理が行われると、印刷時点において、用紙Ｐの先端の位置は印字部２１とは異なる位置に存在する。したがって、印刷時点から第一時間Ｔ１が経過するまでの間に用紙Ｐが第三距離Ｌ３だけ搬送されると、用紙Ｐの先端から搬送方向Ｙの反対方向に第三距離Ｌ３だけ離間した位置は、印字部２１とは異なる位置に存在することになる。このため、ステップＳ５及びステップＳ７によって、例えば図１４のセクション（Ｃ）に示すように、第二調整画像Ｄ２の先端から搬送方向Ｙの反対方向に第三距離Ｌ３とは異なる距離だけ離間した位置までの領域が所定ライン分ずつ余白領域に変換され、用紙Ｐの先端に搬送方向Ｙの長さが第三距離Ｌ３とは異なる余白領域が存在するようになる。つまり、用紙Ｐの先端に存在する余白領域の搬送方向Ｙの長さＬＴと第三距離Ｌ３との差分ｄｔは０ではなくなる。
【０１３８】
以下、ステップＳ１１及びＳ１２における記憶部７０に記憶されている前記相対距離ＭＧ、離間距離ＬＨ及び搬送時間ＴＴの設定値の調整方法の詳細について説明する。尚、試験処理後の用紙Ｐに形成された中央画像Ｄ２ｂが表す第二調整画像Ｄ２の幅方向Ｘの中央と用紙Ｐの幅方向Ｘの中央との離間距離ｄｃが０になるように、記憶部７０に記憶されている前記相対距離ＭＧの設定値ＭＧ０を調整する方法は、第一実施形態で説明した、用紙Ｐに形成された第一調整画像Ｄ１の中央画像Ｄ１ｂが表す第一調整画像Ｄ１の幅方向Ｘの中央と用紙Ｐの幅方向Ｘの中央との離間距離ｄｃが０になるように、記憶部７０に記憶されている前記相対距離ＭＧの設定値ＭＧ０を調整する方法と同様であるので、説明を省略する。また、第二調整画像Ｄ２の先端画像Ｄｙを用いて、離間距離ＬＨ及び搬送時間ＴＴの設定値を調整する方法も、第一実施形態と同様であるので説明を省略する。
【０１３９】
＜差分ｄｓａ、ｄｓｃに基づく調整方法＞
以下では、試験処理後の用紙Ｐの両側端に存在する余白領域の幅方向Ｘの長さＬＳａ、ＬＳｃと第二距離Ｌ２との差分ｄｓａ、ｄｓｃに基づく、記憶部７０に記憶されている前記相対距離ＭＧの設定値ＭＧ０の調整方法について説明する。
【０１４０】
図１５は、試験処理後の用紙Ｐの両側端に存在する余白領域の幅方向Ｘの長さＬＳａ、ＬＳｃと第二距離Ｌ２との差分ｄｓａ、ｄｓｃに基づく調整方法の説明図である。図１３及び図１５のセクション（Ａ）に示すように、第二調整画像Ｄ２の左側端には、自身の左側端から幅方向Ｘに第二距離Ｌ２だけ離間した位置を搬送方向Ｙに延びる直線によって表すオフセット画像Ｄ２ａと、オフセット画像Ｄ２ａが表す直線に直交する複数の直線を表すオフセット目盛画像Ｍ２ａと、オフセット画像Ｄ２ａが表す直線及びオフセット目盛画像Ｍ２ａが表す複数の直線と交差する直線を表すオフセット判断画像Ｊ２ａと、オフセット目盛画像Ｍ２ａが表す複数の直線の其々に対応付けられた調整値を表すオフセット調整値画像Ａ２ａが含まれる。
【０１４１】
同様に、図１３及び図１５のセクション（Ｃ）に示すように、第二調整画像Ｄ２の右側端には、自身の右側端から幅方向Ｘに第二距離Ｌ２だけ離間した位置を搬送方向Ｙに延びる直線によって表すオフセット画像Ｄ２ｃと、オフセット画像Ｄ２ｃが表す直線に直交する複数の直線を表すオフセット目盛画像Ｍ２ｃと、オフセット画像Ｄ２ｃが表す直線及びオフセット目盛画像Ｍ２ｃが表す複数の直線と交差する直線を表すオフセット判断画像Ｊ２ｃと、オフセット目盛画像Ｍ２ｃが表す複数の直線の其々に対応付けられた調整値を表すオフセット調整値画像Ａ２ｃが含まれる。
【０１４２】
オフセット画像Ｄ２ａが表す直線とオフセット判断画像Ｊ２ａが表す直線とオフセット目盛画像Ｍ２ａに含まれる複数の直線のうち、オフセット調整値画像Ａ２ａが表す調整値「３９」に対応付けられた直線は、第二基準点Ｐ２ａで交差するように配置されている。つまり、当該三個の直線は、試験処理後の用紙Ｐの左側端に、幅方向Ｘの長さが第二距離Ｌ２の余白領域が形成され、当該余白領域の幅方向Ｘの長さＬＳａと第二距離Ｌ２との差分ｄｓａが０である場合に、当該余白領域の右側端が第二基準点Ｐ２ａ上に位置するように配置されている。
【０１４３】
オフセット調整値画像Ａ２ａが表す調整値は、オフセット目盛画像Ｍ２ａに含まれる複数の直線のうち、当該調整値が対応づけられた直線と試験処理後の用紙Ｐの左側端に存在する余白領域の右側端が交差している場合に、当該余白領域の幅方向Ｘの長さと第二距離Ｌ２との差分ｄｓａを０にするための前記相対距離ＭＧの調整値を示している。
【０１４４】
オフセット画像Ｄ２ｃが表す直線とオフセット判断画像Ｊ２ｃが表す直線とオフセット目盛画像Ｍ２ｃに含まれる複数の直線のうち、オフセット調整値画像Ａ２ｃが表す調整値「３９」に対応付けられた直線は、第三基準点Ｐ２ｃで交差するように配置されている。つまり、当該三個の直線は、試験処理後の用紙Ｐの右側端に、幅方向Ｘの長さが第二距離Ｌ２の余白領域が形成され、当該余白領域の幅方向Ｘの長さＬＳｃと第二距離Ｌ２との差分ｄｓｃが０である場合に、当該余白領域の左側端が第三基準点Ｐ２ｃ上に位置するように配置されている。
【０１４５】
オフセット調整値画像Ａ２ｃが表す調整値は、オフセット目盛画像Ｍ２ｃに含まれる複数の直線のうち、当該調整値が対応づけられた直線と試験処理後の用紙Ｐの右側端に存在する余白領域の左側端が交差している場合に、当該余白領域の幅方向Ｘの長さと第二距離Ｌ２との差分ｄｓｃを０にするための前記相対距離ＭＧの調整値を示している。
【０１４６】
したがって、ユーザーは、ステップＳ１１において、試験処理後の用紙Ｐの左側端に存在する余白領域の右側端が、第二基準点Ｐ２ａ上に位置する場合には、前記差分ｄｓａが０と判断する。また、ユーザーは、試験処理後の用紙Ｐの右側端に存在する余白領域の左側端が、第三基準点Ｐ２ｃ上に位置する場合には、前記差分ｄｓｃが０と判断する。
【０１４７】
一方、例えば、図４のセクション（Ｃ）を用いて上述したように、撮像部１４が予め定められた配置位置よりも左方向にずれて配置され、相対距離ＭＧが記憶部７０に記憶されている設定値ＭＧ０が表す相対距離ＭＧよりも短くなっている場合に、試験処理が行われたとする。この場合、ステップＳ６において、右方向にずれた外形画像ＲＤを第二調整画像Ｄ２に重畳して生成された印刷画像ＰＤが、ステップＳ７において用紙Ｐに形成される。その結果、試験処理後の用紙Ｐの左側端には、幅方向Ｘの長さが第二距離Ｌ２よりも長い余白領域が存在し、試験処理後の用紙Ｐの右側端には、幅方向Ｘの長さが第二距離Ｌ２よりも短い余白領域が存在するようになる。
【０１４８】
その結果、例えば、図１５のセクション（Ｂ）に示すように、用紙Ｐの左側端に存在する余白領域の右側端が、オフセット目盛画像Ｍ２ａに含まれる複数の直線のうち、第二基準点Ｐ２ａを含む直線よりも第二調整画像Ｄ２の先端側に存在する直線とオフセット判断画像Ｊ２ａが表す直線との交差点Ｚ２ａにおいて交差する。一方、図１５のセクション（Ｄ）に示すように、用紙Ｐの右側端に存在する余白領域の左側端が、オフセット目盛画像Ｍ２ｃに含まれる複数の直線のうち、第三基準点Ｐ２ｃを含む直線よりも第二調整画像Ｄ２の後端側に存在する直線とオフセット判断画像Ｊ２ｃが表す直線との交差点Ｚ２ｃにおいて交差する。
【０１４９】
この場合、ユーザーは、ステップＳ１１において、用紙Ｐの左側端に存在する余白領域の右側端が、第二基準点Ｐ２ａ上に位置しないので前記差分ｄｓａが０ではないと判断する。また、ユーザーは、用紙Ｐの右側端に存在する余白領域の左側端が、第三基準点Ｐ２ｃ上に位置しないので前記差分ｄｓｃが０ではないと判断する。
【０１５０】
そして、ステップＳ１２において、ユーザーは、記憶部７０に記憶されている前記相対距離ＭＧの設定値ＭＧ０の編集欄において、交差点Ｚ２ａを含む直線に対応付けられている調整値ＡＤａ（不図示）と、交差点Ｚ２ｃを含む直線に対応付けられている調整値ＡＤｃ（不図示）と、を用いた下記式（２）によって算出した調整値ＡＤを、当該編集欄に入力されている設定値ＭＧ０に加算する。
ＡＤ  ＝  （ＡＤａ−ＡＤｃ）／２  ・・・（２）
【０１５１】
一方、例えば、図４のセクション（Ｂ）を用いて上述したように、撮像部１４が予め定められた配置位置よりも右方向にずれて配置され、相対距離ＭＧが記憶部７０に記憶されている設定値ＭＧ０が表す相対距離ＭＧよりも長くなっている場合に、試験処理が行われたとする。この場合、ステップＳ６において、左方向にずれた外形画像ＲＤを第二調整画像Ｄ２に重畳して生成された印刷画像ＰＤが、ステップＳ７において用紙Ｐに形成される。その結果、試験処理後の用紙Ｐの左側端には、幅方向Ｘの長さが第二距離Ｌ２よりも短い余白領域が存在し、試験処理後の用紙Ｐの右側端には、幅方向Ｘの長さが第二距離Ｌ２よりも長い余白領域が存在するようになる。
【０１５２】
その結果、用紙Ｐの左側端に存在する余白領域の右側端が、オフセット目盛画像Ｍ２ａに含まれる複数の直線のうち、第二基準点Ｐ２ａを含む直線よりも第二調整画像Ｄ２の後端側に存在する直線とオフセット判断画像Ｊ２ａが表す直線との交差点において交差する。一方、用紙Ｐの右側端に存在する余白領域の左側端が、オフセット目盛画像Ｍ２ｃに含まれる複数の直線のうち、第三基準点Ｐ２ｃを含む直線よりも第二調整画像Ｄ２の先端側に存在する直線とオフセット判断画像Ｊ２ｃが表す直線との交差点において交差する。
【０１５３】
この場合、ユーザーは、ステップＳ１１において、用紙Ｐの左側端に存在する余白領域の右側端が、第二基準点Ｐ２ａ上に位置しないので前記差分ｄｓａが０ではないと判断する。また、ユーザーは、用紙Ｐの右側端に存在する余白領域の左側端が、第三基準点Ｐ２ｃ上に位置しないので前記差分ｄｓｃが０ではないと判断する。
【０１５４】
そして、ステップＳ１２において、ユーザーは、記憶部７０に記憶されている前記相対距離ＭＧの設定値ＭＧ０の編集欄において、オフセット目盛画像Ｍ２ａに含まれる複数の直線のうち、用紙Ｐの左側端に存在する余白領域の右側端とオフセット判断画像Ｊ２ａが表す直線との交差点を含む直線に対応付けられている調整値ＡＤａ（不図示）と、オフセット目盛画像Ｍ２ｃに含まれる複数の直線のうち、用紙Ｐの右側端に存在する余白領域の左側端とオフセット判断画像Ｊ２ｃが表す直線との交差点を含む直線に対応付けられている調整値ＡＤｃ（不図示）と、を用いた式（２）によって算出した調整値ＡＤを、当該編集欄に入力されている設定値ＭＧ０に加算する。
【０１５５】
尚、オフセット目盛画像Ｍ２ａに含まれる複数の直線には、第二調整画像Ｄ２の後端に近い程、大きい正の調整値ＡＤａが対応付けられ、これと同様に、オフセット目盛画像Ｍ２ｃに含まれる複数の直線にも、第二調整画像Ｄ２の後端に近い程、大きい正の調整値ＡＤｂが対応付けられている。また、式（２）を用いて、調整値ＡＤａと調整値ＡＤｃの差分を二分の一にした値が前記相対距離ＭＧの設定値ＭＧ０に加算される。
【０１５６】
つまり、撮像部１４が予め定められた配置位置からずれて配置され、相対距離ＭＧが記憶部７０に記憶されている設定値ＭＧ０が表す相対距離ＭＧとは異なっていることで、印刷画像ＰＤの生成のために第二調整画像Ｄ２に外形画像ＲＤを重畳するときに、外形画像ＲＤの幅方向Ｘの中央が第二調整画像Ｄ２の幅方向Ｘの中央からずれる量を、用紙Ｐの両側端の余白領域の幅方向Ｘのずれ量の差分から把握して、設定値ＭＧ０を適切に増減させる調整が行えるように調整値が定められている。
【０１５７】
尚、上記第一乃び第二実施形態は、本発明に係る実施形態の例示に過ぎず、本発明を上記実施形態に限定する趣旨ではない。例えば、以下に示す変形実施形態であってもよい。
【０１５８】
（１）第一調整画像Ｄ１及び第二調整画像Ｄ２に、少なくとも先端画像Ｄｙ、先端判断画像Ｊｙ、先端目盛画像Ｍｙ及び先端調整値画像Ａｙを含めるようにし、その他の画像を含まないようにしてもよい。これに合わせて、ステップＳ１０において表示される調整案内画面を、前記離間距離ＬＨ及び前記搬送時間ＴＴの設定値の調整を行うことをユーザーに案内し、当該調整をユーザーに行わせるための操作画面として構成してもよい。そして、ステップＳ１１及びステップＳ１２において、ユーザーが、前記差分ｄｔが０となるように前記離間距離ＬＨ及び前記搬送時間ＴＴの設定値を編集する操作だけを行えるようにしてもよい。
【０１５９】
又は、図７に示すステップＳ４及びステップＳ５を省略し、検出部１６が用紙Ｐの先端の到達を検出した時点から搬送時間ＴＴの設定値が表す時間が経過すると、ステップＳ６を行うようにしてもよい。これに合わせて、第一調整画像Ｄ１及び第二調整画像Ｄ２に、先端画像Ｄｙ、先端判断画像Ｊｙ、先端目盛画像Ｍｙ及び先端調整値画像Ａｙが含まれないようにしてもよい。そして、ステップＳ１０において表示される調整案内画面を、前記相対距離ＭＧの設定値の調整を行うことをユーザーに案内し、当該調整をユーザーに行わせるための操作画面として構成してもよい。そして、ステップＳ１１及びステップＳ１２において、前記差分ｄｔが０となるように前記離間距離ＬＨ及び前記搬送時間ＴＴの設定値を編集する操作を行えないようにしてもよい。
【０１６０】
（２）第二調整画像Ｄ２にオフセット画像Ｄ２ａ、Ｄ２ｃが含まれないようにしてもよい。これに合わせて、第二調整画像Ｄ２に、オフセット目盛画像Ｍ２ａ、Ｍ２ｃ、オフセット判断画像Ｊ２ａ、Ｊ２ｃ、及びオフセット調整値画像Ａ２ａ、Ａ２ｃが含まれないようにしてもよい。この場合、ユーザーは、ステップＳ１１において定規等を用いて用紙Ｐの両側端に存在する余白領域の幅方向Ｘの長さＬＳａ、ＬＳｃを測定し、当該測定した長さＬＳａ、ＬＳｃと第二距離Ｌ２との差分ｄｓａ、ｄｓｃが０か否かを判断するようにしてもよい。
【０１６１】
（３）第一調整画像Ｄ１にオフセット画像Ｄ１ａが含まれないようにしてもよい。これに合わせて、第一調整画像Ｄ１に、オフセット目盛画像Ｍ１ａ、オフセット判断画像Ｊ１ａ及びオフセット調整値画像Ａ１ａが含まれないようにしてもよい。この場合、ユーザーは、ステップＳ１１において定規等を用いて用紙Ｐの左側端に存在する余白領域の幅方向Ｘの長さＬＳを測定し、当該測定した長さＬＳと第一距離Ｌ１との差分ｄｓが０か否かを判断するようにしてもよい。
【符号の説明】
【０１６２】
１  インクジェットプリンター（画像形成装置）
１４  撮像部
１６  検出部
２１  印字部
４１  生成部
４２  印刷部
４３  調整部
７０  記憶部
Ｄ１  第一調整画像（調整画像）
Ｄ１ａ  オフセット画像
Ｄ１ｂ  中央画像
Ｄ２  第二調整画像（調整画像）
Ｄ２ａ  オフセット画像
Ｄ２ｂ  中央画像
Ｄ２ｃ  オフセット画像
Ｄｙ  先端画像
Ｌ１  第一距離
Ｌ２  第二距離
Ｌ３  第三距離
Ｐ  用紙
ＰＤ  印刷画像
ＲＤ  外形画像
Ｔ１  第一時間
ＴＤ  対象画像
Ｘ  幅方向
Ｙ  搬送方向
ｄｃ  離間距離
ｄｓ  差分
ｄｓａ  差分
ｄｓｃ  差分
ｄｔ  差分
【図１】
2019126981.tif 000003
【図２】
2019126981.tif 000004
【図３】
2019126981.tif 000005
【図４】
2019126981.tif 000006
【図５】
2019126981.tif 000007
【図６】
2019126981.tif 000008
【図７】
2019126981.tif 000009
【図８】
2019126981.tif 000010
【図９】
2019126981.tif 000011
【図１０】
2019126981.tif 000012
【図１１】
2019126981.tif 000013
【図１２】
2019126981.tif 000014
【図１３】
2019126981.tif 000015
【図１４】
2019126981.tif 000016
【図１５】
2019126981.tif 000017